(57)【要約】【課題】高密度ディスクに好適な出荷時情報記録方式の提供。【解決手段】  第１のデータ（ユーザーデータ）と第３のデータ（出荷時情報）は同一の誤り訂正符号を用いる。また第１のデータは、第１のエラー訂正ブロック構造を有し、また第３のデータは第２のエラー訂正ブロック構造を有する。つまり第１，第３のデータについてそれぞれに適切なエラー訂正ブロック構造とする。特に、第３のデータの記録密度は、第１のデータの記録密度より緩くされているとともに、記第１のエラー訂正ブロックの訂正符号の符号数をｍの倍数とし、上記第２のエラー訂正ブロックの訂正符号の符号数を、上記第１のエラー訂正ブロックの訂正符号の符号数のｎ／ｍとして、第２のエラー訂正ブロックのデータ数を、第１のエラー訂正ブロックのデータ数のｎ／ｍとする。【選択図】図１５
2011023109.tif 000002
【特許請求の範囲】
【請求項１】
書換可能又は追記可能な記録方式による第１のデータの記録再生及びグルーブのウォブリングにより記録されている第２のデータの再生が可能とされる記録再生領域と、
グルーブのウォブリングにより記録されている第３のデータの再生のみが可能とされる再生専用領域とを備え、
上記第１のデータは、第１の変調方式で記録されるとともに、第１のエラー訂正ブロック構造を有し、
上記第２のデータは、第２の変調方式で記録されており、
上記第３のデータは、第３の変調方式で記録されるとともに、上記第１のエラー訂正ブロック構造と同一の訂正符号による第２のエラー訂正ブロック構造を有することを特徴とするディスク記録媒体。
【請求項２】
上記第１のエラー訂正ブロックは、
第１のフレーム構造と、第１の訂正符号からなる第１のサブブロック構造と、第２の訂正符号からなる第２のサブブロック構造とから構成され、
上記第２のエラー訂正ブロックは、
第２のフレーム構造と、上記第１の訂正符号からなる第３のサブブロック構造と、上記第２の訂正符号からなる第４のサブブロック構造とから構成されることを特徴とする請求項１に記載のディスク記録媒体。
【請求項３】
上記第２のデータ及び第３のデータは、予め形成されたウォブリンググルーブによって記録されており、
上記第１のデータは、上記書換可能な記録方式として、上記ウォブリンググルーブによるトラック上への相変化マークによる記録方式で記録されることを特徴とする請求項１に記載のディスク記録媒体。
【請求項４】
上記第２のデータ及び第３のデータは、予め形成されたウォブリンググルーブによって記録されており、
上記第１のデータは、上記書換可能な記録方式として、上記ウォブリンググルーブによるトラック上への光磁気マークによる記録方式で記録されることを特徴とする請求項１に記載のディスク記録媒体。
【請求項５】
上記再生専用領域に記録される第３のデータには、アドレス情報が含まれていることを特徴とする請求項１に記載のディスク記録媒体。
【請求項６】
上記第３のデータの記録密度は、上記第１のデータの記録密度より緩くされているとともに、
上記第１のエラー訂正ブロックの訂正符号の符号数をｍの倍数とし、
上記第２のエラー訂正ブロックの訂正符号の符号数を、上記第１のエラー訂正ブロックの訂正符号の符号数のｎ／ｍとすることで、
上記第２のエラー訂正ブロックのデータ数を、上記第１のエラー訂正ブロックのデータ数のｎ／ｍとした（但し、ｎ及びｍは正の整数）、
ことを特徴とする請求項１に記載のディスク記録媒体。
【請求項７】
上記第３のデータの記録密度は、上記第１のデータの記録密度より緩くされているとともに、
上記第１のサブブロックを構成する上記第１の訂正符号の符号数をｍの倍数とし、
上記第３のサブブロックを構成する上記第１の訂正符号の符号数を、上記第１のサブブロックの訂正符号の符号数のｎ／ｍとすることで、
上記第３のサブブロックのデータ数を、上記第１のサブブロックのデータ数のｎ／ｍとし（但し、ｎ及びｍは正の整数）、
さらに、
上記第２のサブブロックを構成する上記第２の訂正符号の符号数をｐの倍数とし、
上記第４のサブブロックを構成する上記第２の訂正符号の符号数を、上記第２のサブブロックの訂正符号の符号数のｑ／ｐとすることで、
上記第４のサブブロックのデータ数を、上記第２のサブブロックのデータ数のｑ／ｐとした（但し、ｐ及びｑは正の整数）、
ことを特徴とする請求項２に記載のディスク記録媒体。
【請求項８】
上記「ｍ」は、「２」のべき乗の値としたことを特徴とする請求項６又は請求項７に記載のディスク記録媒体。
【請求項９】
上記「ｎ」は、「１」としたことを特徴とする請求項６又は請求項７又は請求項８に記載のディスク記録媒体。
【請求項１０】
上記第１のエラー訂正ブロック、及び上記第２のエラー訂正ブロックのブロック長は、ディスク上にトラック１周回以内で記録できるブロック長とされていることを特徴とする請求項１に記載のディスク記録媒体。
【請求項１１】
上記第１のエラー訂正ブロックのフレーム数、及び上記第２のエラー訂正ブロックのフレーム数を、上記訂正符号内のデータ数と同程度もしくはそれ以上とすることを特徴とする請求項１に記載のディスク記録媒体。
【請求項１２】
上記第１のエラー訂正ブロックのフレーム数、及び上記第２のエラー訂正ブロックのフレーム数を、上記第１の訂正符号の符号語数と上記第２の訂正符号の符号語数の和と同程度もしくはそれ以上とすることを特徴とする請求項２に記載のディスク記録媒体。
【請求項１３】
上記第２のフレーム中の、上記第３のサブブロックに相当するデータの一部に同期信号を配し、
上記第２のフレーム中の第４のサブブロックに相当するデータの一部にアドレスユニット番号を設けたことを特徴とする請求項２に記載のディスク記録媒体。
【請求項１４】
上記第１のエラー訂正ブロック及び上記第２のエラー訂正ブロックにはリンキング用のフレームが付加されていることを特徴とする請求項１に記載のディスク記録媒体。
【請求項１５】
上記第１のエラー訂正ブロックにはリンキング用のフレームが付加され、
上記第２のエラー訂正ブロックには、リンキング用のフレームが付加されていないことを特徴とする請求項１に記載のディスク記録媒体。
【請求項１６】
上記第１の変調方式はＲＬＬ（１、７）ＰＰ方式であり、
上記第２の変調方式はＭＳＫ変調方式であり、
上記第３の変調方式はバイフェーズ変調方式であることを特徴とする請求項１に記載のディスク記録媒体。
【請求項１７】
上記第１の変調方式と上記第３の変調方式は同一の変調方式であることを特徴とする請求項１に記載のディスク記録媒体。
【請求項１８】
上記第１の変調方式と上記第３の変調方式はＲＬＬ（１、７）ＰＰ方式であり、
上記第２の変調方式はＭＳＫ変調方式であることを特徴とする請求項１に記載のディスク記録媒体。
【請求項１９】
書換可能又は追記可能な記録方式による第１のデータの記録再生及びグルーブのウォブリングにより記録されている第２のデータの再生が可能とされる記録再生領域と、グルーブのウォブリングにより記録されている第３のデータの再生のみが可能とされる再生専用領域とを備え、上記第１のデータは、第１の変調方式で記録されるとともに、第１のエラー訂正ブロック構造を有し、上記第２のデータは、第２の変調方式で記録されており、上記第３のデータは、第３の変調方式で記録されるとともに、上記第１のエラー訂正ブロック構造と同一の訂正符号による第２のエラー訂正ブロック構造を有するディスク記録媒体に対して、データの記録又は再生を行うディスクドライブ装置であって、
上記グルーブにより形成されるトラックに対してレーザ照射を行い反射光信号を得るヘッド手段と、
上記反射光信号からトラックのウォブリングに係る信号を抽出するウォブリング抽出手段と、
上記反射光信号から上記第１のデータに係る信号を抽出する第１データ信号抽出手段と、
上記記録再生領域の再生時において、上記ウォブリング抽出手段によって抽出された上記ウォブリングに係る信号について第２の変調方式に対する復調を行なう第２データ復調手段と、
上記記録再生領域の再生時において、上記第１データ抽出手段によって抽出された上記第１のデータに係る信号について上記第１の変調方式に対する復調を行なう第１データ復調手段と、
上記再生専用領域の再生時において、上記ウォブリング抽出手段によって抽出された上記ウォブリングに係る信号について上記第３の変調方式に対する復調を行なう第３データ復調手段と、
上記第１データ復調手段の復調出力と、上記第３データ復調手段の復調出力に対して上記エラー訂正符号によるエラー訂正処理を行うエラー訂正手段と、
上記記録再生領域の記録再生時には、上記第２データ復調手段の処理を実行させるとともに上記エラー訂正手段に対して上記第１のエラー訂正ブロックに対する処理を指示し、上記再生専用領域の再生時には、上記第３データ復調手段の処理を実行させるとともに上記エラー訂正手段に対して上記第２のエラー訂正ブロックに対する処理を指示する制御手段と、
を備えたことを特徴とするディスクドライブ装置。
【請求項２０】
上記エラー訂正手段は、
第１のフレーム構造と、第１の訂正符号からなる第１のサブブロック構造と、第２の訂正符号からなる第２のサブブロック構造とから構成される上記第１のエラー訂正ブロックに関してエンコード及びデコード可能とされるとともに、
第２のフレーム構造と、上記第１の訂正符号からなる第３のサブブロック構造と、上記第２の訂正符号からなる第４のサブブロック構造とから構成される上記第２のエラー訂正ブロックに関してデコード可能とされることを特徴とする請求項１９に記載のディスクドライブ装置。
【請求項２１】
上記制御手段は、
上記記録再生領域においては、上記第２のデータとして抽出されるアドレス情報に基づいて上記ヘッド手段のアクセスを実行させ、
上記再生専用領域においては上記第３のデータに含まれているアドレス情報に基づいて上記ヘッド手段のアクセスを実行させることを特徴とする請求項１９に記載のディスクドライブ装置。
【請求項２２】
上記エラー訂正手段は、上記第１のエラー訂正ブロックの訂正符号の符号数をｍの倍数とし、上記第２のエラー訂正ブロックの訂正符号の符号数を、上記第１のエラー訂正ブロックの訂正符号の符号数のｎ／ｍ（但し、ｎ及びｍは正の整数）として処理を行うことを特徴とする請求項１９に記載のディスクドライブ装置。
【請求項２３】
上記エラー訂正手段は、
上記第１のサブブロックを構成する上記第１の訂正符号の符号数をｍの倍数とし、上記第３のサブブロックを構成する上記第１の訂正符号の符号数を、上記第１のサブブロックの訂正符号の符号数のｎ／ｍ（但し、ｎ及びｍは正の整数）とし、
さらに、上記第２のサブブロックを構成する上記第２の訂正符号の符号数をｐの倍数とし、上記第４のサブブロックを構成する上記第２の訂正符号の符号数を、上記第２のサブブロックの訂正符号の符号数のｑ／ｐ（但し、ｐ及びｑは正の整数）として処理を行うことを特徴とする請求項２０に記載のディスクドライブ装置。
【請求項２４】
上記「ｍ」は、「２」のべき乗の値としたことを特徴とする請求項２２又は請求項２３に記載のディスクドライブ装置。
【請求項２５】
上記「ｎ」は、「１」としたことを特徴とする請求項２２又は請求項２３又は請求項２４に記載のディスクドライブ装置。
【請求項２６】
上記第１の変調方式はＲＬＬ（１、７）ＰＰ方式であり、
上記第２の変調方式はＭＳＫ変調方式であり、
上記第３の変調方式はバイフェーズ変調方式であることを特徴とする請求項１９に記載のディスクドライブ装置。
【請求項２７】
上記第１の変調方式と上記第３の変調方式は同一の変調方式であることを特徴とする請求項１９に記載のディスクドライブ装置。
【請求項２８】
上記第１の変調方式と上記第３の変調方式はＲＬＬ（１、７）ＰＰ方式であり、
上記第２の変調方式はＭＳＫ変調方式であることを特徴とする請求項１９に記載のディスクドライブ装置。
【請求項２９】
書換可能又は追記可能な記録方式による第１のデータの記録再生及びグルーブのウォブリングにより記録されている第２のデータの再生が可能とされる記録再生領域と、グルーブのウォブリングにより記録されている第３のデータの再生のみが可能とされる再生専用領域とを備え、上記第１のデータは、第１の変調方式で記録されるとともに、第１のエラー訂正ブロック構造を有し、上記第２のデータは、第２の変調方式で記録されており、上記第３のデータは、第３の変調方式で記録されるとともに、上記第１のエラー訂正ブロック構造と同一の訂正符号による第２のエラー訂正ブロック構造を有するディスク記録媒体に対する再生方法として、
上記記録再生領域の再生時には、
上記グルーブにより形成されるトラックに対してレーザ照射を行った際の反射光信号から、トラックのウォブリングに係る信号、及び上記第１のデータに係る信号を抽出し、抽出された上記ウォブリングに係る信号について上記第２の変調方式に対する復調を行ってアドレス情報をデコードするとともに、抽出された上記第１のデータに係る信号について上記第１の変調方式に対する復調、及び上記エラー訂正符号による上記第１のエラー訂正ブロックに対してエラー訂正処理を行って上記第１のデータを再生し、
上記再生専用領域の再生時には、
上記グルーブにより形成されるトラックに対してレーザ照射を行った際の反射光信号から、トラックのウォブリングに係る信号を抽出し、抽出された上記ウォブリングに係る信号について上記第３の変調方式に対する復調、及び上記エラー訂正符号による上記第２のエラー訂正ブロックに対してエラー訂正処理を行って上記第３のデータを再生する、
ことを特徴とする再生方法。
【請求項３０】
上記記録再生領域の再生時には、第１のフレーム構造と、第１の訂正符号からなる第１のサブブロック構造と、第２の訂正符号からなる第２のサブブロック構造とから構成される上記第１のエラー訂正ブロックに対してエラー訂正処理を行い、
上記再生専用領域の再生時には、第２のフレーム構造と、上記第１の訂正符号からなる第３のサブブロック構造と、上記第２の訂正符号からなる第４のサブブロック構造とから構成される上記第２のエラー訂正ブロックに対してエラー訂正処理を行うことを特徴とする請求項２９に記載の再生方法。
【請求項３１】
上記記録再生領域の再生時には、上記第２のデータとして抽出されるアドレス情報に基づいてアクセスを実行し、
上記再生専用領域の再生時には、上記第３のデータに含まれているアドレス情報に基づいてアクセスを実行することを特徴とする請求項２９に記載の再生方法。
【請求項３２】
上記エラー訂正処理においては、上記第１のエラー訂正ブロックの訂正符号の符号数をｍの倍数とし、上記第２のエラー訂正ブロックの訂正符号の符号数を、上記第１のエラー訂正ブロックの訂正符号の符号数のｎ／ｍ（但し、ｎ及びｍは正の整数）として処理を行うことを特徴とする請求項２９に記載の再生方法。
【請求項３３】
上記エラー訂正処理においては、
上記第１のサブブロックを構成する上記第１の訂正符号の符号数をｍの倍数とし、上記第３のサブブロックを構成する上記第１の訂正符号の符号数を、上記第１のサブブロックの訂正符号の符号数のｎ／ｍ（但し、ｎ及びｍは正の整数）とし、
さらに、上記第２のサブブロックを構成する上記第２の訂正符号の符号数をｐの倍数とし、上記第４のサブブロックを構成する上記第２の訂正符号の符号数を、上記第２のサブブロックの訂正符号の符号数のｑ／ｐ（但し、ｐ及びｑは正の整数）として処理を行うことを特徴とする請求項３０に記載の再生方法。
【請求項３４】
上記「ｍ」は、「２」のべき乗の値としたことを特徴とする請求項３２又は請求項３３に記載の再生方法。
【請求項３５】
上記「ｎ」は、「１」としたことを特徴とする請求項３２又は請求項３３又は請求項３４に記載の再生方法。
【請求項３６】
上記第１の変調方式はＲＬＬ（１、７）ＰＰ方式であり、
上記第２の変調方式はＭＳＫ変調方式であり、
上記第３の変調方式はバイフェーズ変調方式であることを特徴とする請求項２９に記載の再生方法。
【請求項３７】
上記第１の変調方式と上記第３の変調方式は同一の変調方式であることを特徴とする請求項２９に記載の再生方法。
【請求項３８】
上記第１の変調方式と上記第３の変調方式はＲＬＬ（１、７）ＰＰ方式であり、
上記第２の変調方式はＭＳＫ変調方式であることを特徴とする請求項２９に記載の再生方法。
【発明の詳細な説明】
【技術分野】
【０００１】
本発明は、光ディスク等のディスク記録媒体、およびそのディスク記録媒体の製造のためのディスク製造方法、さらにはディスク記録媒体に対するディスクドライブ装置、再生方法に関し、特に、プリグルーブとしてトラックがウォブリングされたディスクに関するものである。
【背景技術】
【０００２】
デジタルデータを記録・再生するための技術として、例えば、ＣＤ（Compact Disk），ＭＤ（Mini-Disk），ＤＶＤ（Digital Versatile Disk）などの、光ディスク（光磁気ディスクを含む）を記録メディアに用いたデータ記録技術がある。光ディスクとは、金属薄板をプラスチックで保護した円盤に、レーザ光を照射し、その反射光の変化で信号を読み取る記録メディアの総称である。
光ディスクには、例えばＣＤ、ＣＤ−ＲＯＭ、ＤＶＤ−ＲＯＭなどとして知られているように再生専用タイプのものと、ＭＤ、ＣＤ−Ｒ、ＣＤ−ＲＷ、ＤＶＤ−Ｒ、ＤＶＤ−ＲＷ、ＤＶＤ＋ＲＷ、ＤＶＤ−ＲＡＭなどで知られているようにユーザーデータが記録可能なタイプがある。記録可能タイプのものは、光磁気記録方式、相変化記録方式、色素膜変化記録方式などが利用されることで、データが記録可能とされる。色素膜変化記録方式はライトワンス記録方式とも呼ばれ、一度だけデータ記録が可能で書換不能であるため、データ保存用途などに好適とされる。一方、光磁気記録方式や相変化記録方式は、データの書換が可能であり音楽、映像、ゲーム、アプリケーションプログラム等の各種コンテンツデータの記録を始めとして各種用途に利用される。
【０００３】
光磁気記録方式、色素膜変化記録方式、相変化記録方式などの記録可能なディスクに対してデータを記録するには、データトラックに対するトラッキングを行うための案内手段が必要になり、このために、プリグルーブとして予め溝（グルーブ）を形成し、そのグルーブもしくはランド（グルーブとグルーブに挟まれる断面台地状の部位）をデータトラックとすることが行われている。
またデータトラック上の所定の位置にデータを記録することができるようにアドレス情報を記録する必要もあるが、このアドレス情報は、グルーブをウォブリング（蛇行）させることで記録される場合がある。
【０００４】
すなわち、データを記録するトラックが例えばプリグループとして予め形成されるが、このプリグループの側壁をアドレス情報に対応してウォブリングさせる。
このようにすると、記録時や再生時に、反射光情報として得られるウォブリング情報からアドレスを読み取ることができ、例えばアドレスを示すピットデータ等を予めトラック上に形成しておかなくても、所望の位置にデータを記録再生することができる。
このようにウォブリンググルーブとしてアドレス情報を付加することで、例えばトラック上に離散的にアドレスエリアを設けて例えばピットデータとしてアドレスを記録することが不要となり、そのアドレスエリアが不要となる分、実データの記録容量を増大させることができる。
なお、このようなウォブリングされたグルーブにより表現される絶対時間（アドレス）情報は、ＡＴＩＰ（Absolute Time In Pregroove）又はＡＤＩＰ（Adress In Pregroove）と呼ばれる。
【発明の概要】
【発明が解決しようとする課題】
【０００５】
ところで特に書換型のディスクについては、予め生産者サイドで各種の情報を出荷時情報として記録した上で出荷したいという事情がある。（出荷時情報：ディスク出荷前に予め書き込んでおくプリレコーデッド情報）
この出荷時情報としては、ディスクへの記録条件、例えば記録線速度やレーザパワー推奨値などを示すディスク情報や、ハックされた機器を排除するためなどのシステム情報を記録したい。
そしてこれらの出荷時情報は、高い信頼性と、ある程度のデータ量と、改竄されないことが必要とされる。
【０００６】
高い信頼性が要求されるのは、例えば出荷時情報としてディスク情報が正確に得られなければ、ユーザーサイドの機器で最適な記録条件が得られないなどのことが生じるためである。
また、コンテンツデータの記録にあたっては、著作権保護の観点からデータを暗号化することが考えられるが、システム情報から暗号化に用いられる鍵が正確に得られないと、暗号化データを復号してコンテンツを利用することができず、またコンテンツデータの記録の際の暗号化ができないためである。
これらのことから、出荷時情報として記録されるディスク情報やシステム情報には、記録再生されるユーザデータ以上に高い信頼性が要求される。
【０００７】
また出荷時情報が、ある程度大きなデータ量となることは次のような事情による。
例えばハックされたときにシステムのマスターキーを更新することを考え、その排除単位としてシステム（商品）の機種単位などを考えた場合、マスターキーを更新するためには、各々の単位でマスターキーを特定するための鍵情報の束として、ある程度の情報量が必要となる。このようなことからシステム情報は比較的データサイズの大きな情報となってしまう。
また、ディスク上のディフェクト（傷や汚れ）の可能性を考慮した場合でも、正確に出荷時情報が読み出せることが上記信頼性の点から必要で、このためにディスク情報やシステム情報を多重書き（同じデータを複数回記録する）することが行われる。当然、出荷時情報としてのデータ量は大きくならざるを得ない。
【０００８】
改竄防止については、例えば上記のようにハックされた機器を排除するためなどのシステム情報は、当然ながら改竄は防止されなければ意味がないためである。改竄は強固に防止されなければシステム情報としての機能が果たせない。
【０００９】
プリレコーデッド情報としての出荷時情報については、これらの条件が満たされることが必要であるとされ、この出荷時情報としての好適な記録方式が求められている。
【００１０】
なお、出荷時情報をディスクにプリレコードする方法としては、エンボスピットをディスク上に形成することが知られている。
ところが光ディスクに高密度に記録再生することを考えると、エンボスピットによるプリレコード方法は不都合が生ずる。
光ディスクに高密度に記録再生する場合、グルーブの深さを浅くすることが必要とされている。そしてスタンパによってグルーブとエンボスピットを同時に生産するディスクにおいては、グルーブとエンボスピットの深さを異なる深さとすることは非常に困難である。このため、エンボスピットの深さはグルーブの深さと同じにならざるを得ない。
ところが、エンボスピットの深さが浅くなると、エンボスピットから品質のよい信号が得られないという問題がある。
【００１１】
例えば、光学系として４０５ｎｍの波長のレーザダイオードと、ＮＡ＝０．８５の対物レンズを用い、カバー（サブストレート）厚み0.1mmのディスク上に、トラックピッチ０．３２μｍ、線密度０．１２μｍ／ｂｉｔにて、フェーズチェンジマーク（相変化マーク）を記録再生することで、直径１２cmの光ディスクに２３ＧＢ（ギガバイト）の容量を記録再生することができる。
この場合、フェーズチェンジマークは、ディスク上にスパイラル状に形成されたグルーブ上に記録再生されるが、高密度化のためにメディアノイズをおさえるためには、グルーブの深さは、約２０ｎｍ、つまり波長λに対してλ／１３〜λ／１２がのぞましい。
一方、品質のよいエンボスピットからの信号を得るには、エンボスピットの深さは、λ／８〜λ／４がのぞましく、結局グルーブ及びエンボスピットとしての共通の深さとして、いい解が得られないでいた。
このような事情から、エンボスピットにかわる、出荷時情報をプリレコードする方法が求められていた。
【課題を解決するための手段】
【００１２】
本発明はこれらの事情に鑑みて、ディスク記録媒体としての大容量化や記録再生性能の向上に好適なプリレコード方式を用いる新規なディスク記録媒体、及びそれを製造するためのディスク製造方法、及びディスクドライブ装置、再生方法を提供することを目的とする。
【００１３】
このために本発明のディスク記録媒体は、書換可能な記録方式による第１のデータの記録再生及びグルーブのウォブリングにより記録されている第２のデータの再生が可能とされる記録再生領域と、グルーブのウォブリングにより記録されている第３のデータの再生のみが可能とされる再生専用領域とを備え、上記第１のデータは、第１の変調方式で記録されるとともに、第１のエラー訂正ブロック構造を有し、上記第２のデータは、第２の変調方式で記録されており、上記第３のデータは、第３の変調方式で記録されるとともに、上記第１のエラー訂正ブロック構造と同一の訂正符号による第２のエラー訂正ブロック構造を有するものとする。
また、上記第１のエラー訂正ブロックは、第１のフレーム構造と、第１の訂正符号からなる第１のサブブロック構造と、第２の訂正符号からなる第２のサブブロック構造とから構成され、上記第２のエラー訂正ブロックは、第２のフレーム構造と、上記第１の訂正符号からなる第３のサブブロック構造と、上記第２の訂正符号からなる第４のサブブロック構造とから構成されるようにする。
【００１４】
また、上記第２のデータ及び第３のデータは、予め形成されたウォブリンググルーブによって記録されており、上記第１のデータは、上記書換可能な記録方式として、上記ウォブリンググルーブによるトラック上への相変化マークによる記録方式で記録されるようにする。
或いは、上記第２のデータ及び第３のデータは、予め形成されたウォブリンググルーブによって記録されており、上記第１のデータは、上記書換可能な記録方式として、上記ウォブリンググルーブによるトラック上への光磁気マークによる記録方式で記録されるようにする。
また、上記再生専用領域に記録される第３のデータには、アドレス情報が含まれているようにする。
【００１５】
また、上記第３のデータの記録密度は、上記第１のデータの記録密度より緩くされているとともに、上記第１のエラー訂正ブロックの訂正符号の符号数をｍの倍数とし、上記第２のエラー訂正ブロックの訂正符号の符号数を、上記第１のエラー訂正ブロックの訂正符号の符号数のｎ／ｍとすることで、上記第２のエラー訂正ブロックのデータ数を、上記第１のエラー訂正ブロックのデータ数のｎ／ｍとする（但し、ｎ及びｍは正の整数）。
また、上記第３のデータの記録密度は、上記第１のデータの記録密度より緩くされているとともに、上記第１のサブブロックを構成する上記第１の訂正符号の符号数をｍの倍数とし、上記第３のサブブロックを構成する上記第１の訂正符号の符号数を、上記第１のサブブロックの訂正符号の符号数のｎ／ｍとすることで、上記第３のサブブロックのデータ数を、上記第１のサブブロックのデータ数のｎ／ｍとし（但し、ｎ及びｍは正の整数）、さらに、上記第２のサブブロックを構成する上記第２の訂正符号の符号数をｐの倍数とし、上記第４のサブブロックを構成する上記第２の訂正符号の符号数を、上記第２のサブブロックの訂正符号の符号数のｑ／ｐとすることで、上記第４のサブブロックのデータ数を、上記第２のサブブロックのデータ数のｑ／ｐとする（但し、ｐ及びｑは正の整数）。
これらの場合、上記「ｍ」は、「２」のべき乗の値とする。
また、上記「ｎ」は、「１」とする。
【００１６】
また上記第１のエラー訂正ブロック、及び上記第２のエラー訂正ブロックのブロック長は、ディスク上にトラック１周回以内で記録できるブロック長とされているものとする。
また上記第１のエラー訂正ブロックのフレーム数、及び上記第２のエラー訂正ブロックのフレーム数を、上記訂正符号内のデータ数と同程度もしくはそれ以上とする。
また、上記第１のエラー訂正ブロックのフレーム数、及び上記第２のエラー訂正ブロックのフレーム数を、上記第１の訂正符号の符号語数と上記第２の訂正符号の符号語数の和と同程度もしくはそれ以上とする。
【００１７】
また、上記第２のフレーム中の、上記第３のサブブロックに相当するデータの一部に同期信号を配し、上記第２のフレーム中の第４のサブブロックに相当するデータの一部にアドレスユニット番号を設ける。
【００１８】
また、上記第１のエラー訂正ブロック及び上記第２のエラー訂正ブロックにはリンキング用のフレームが付加されている。
或いは、上記第１のエラー訂正ブロックにはリンキング用のフレームが付加され、上記第２のエラー訂正ブロックには、リンキング用のフレームが付加されていないものとする。
【００１９】
上記第１の変調方式はＲＬＬ（１、７）ＰＰ方式であり、上記第２の変調方式はＭＳＫ変調方式であり、上記第３の変調方式はバイフェーズ変調方式であるとする。
又は、上記第１の変調方式と上記第３の変調方式は同一の変調方式であるとする。
又この場合、上記第１の変調方式と上記第３の変調方式はＲＬＬ（１、７）ＰＰ方式であり、上記第２の変調方式はＭＳＫ変調方式であるとする。
【００２０】
本発明のディスクドライブ装置は、書換可能又は追記可能な記録方式による第１のデータの記録再生及びグルーブのウォブリングにより記録されている第２のデータの再生が可能とされる記録再生領域と、グルーブのウォブリングにより記録されている第３のデータの再生のみが可能とされる再生専用領域とを備え、上記第１のデータは、第１の変調方式で記録されるとともに、第１のエラー訂正ブロック構造を有し、上記第２のデータは、第２の変調方式で記録されており、上記第３のデータは、第３の変調方式で記録されるとともに、上記第１のエラー訂正ブロック構造と同一の訂正符号による第２のエラー訂正ブロック構造を有するディスク記録媒体に対して、データの記録又は再生を行うディスクドライブ装置である。
そして、上記グルーブにより形成されるトラックに対してレーザ照射を行い反射光信号を得るヘッド手段と、上記反射光信号からトラックのウォブリングに係る信号を抽出するウォブリング抽出手段と、上記反射光信号から上記第１のデータに係る信号を抽出する第１データ信号抽出手段と、上記記録再生領域の再生時において、上記ウォブリング抽出手段によって抽出された上記ウォブリングに係る信号について第２の変調方式に対する復調を行なう第２データ復調手段と、上記記録再生領域の再生時において、上記第１データ抽出手段によって抽出された上記第１のデータに係る信号について上記第１の変調方式に対する復調を行なう第１データ復調手段と、上記再生専用領域の再生時において、上記ウォブリング抽出手段によって抽出された上記ウォブリングに係る信号について上記第３の変調方式に対する復調を行なう第３データ復調手段と、上記第１データ復調手段の復調出力と、上記第３データ復調手段の復調出力に対して上記エラー訂正符号によるエラー訂正処理を行うエラー訂正手段と、上記記録再生領域の記録再生時には、上記第２データ復調手段の処理を実行させるとともに上記エラー訂正手段に対して上記第１のエラー訂正ブロックに対する処理を指示し、上記再生専用領域の再生時には、上記第３データ復調手段の処理を実行させるとともに上記エラー訂正手段に対して上記第２のエラー訂正ブロックに対する処理を指示する制御手段と、を備える。
【００２１】
また、上記エラー訂正手段は、第１のフレーム構造と、第１の訂正符号からなる第１のサブブロック構造と、第２の訂正符号からなる第２のサブブロック構造とから構成される上記第１のエラー訂正ブロックに関してエンコード及びデコード可能とされるとともに、第２のフレーム構造と、上記第１の訂正符号からなる第３のサブブロック構造と、上記第２の訂正符号からなる第４のサブブロック構造とから構成される上記第２のエラー訂正ブロックに関してデコード可能とされる。
【００２２】
また上記制御手段は、上記記録再生領域においては、上記第２のデータとして抽出されるアドレス情報に基づいて上記ヘッド手段のアクセスを実行させ、上記再生専用領域においては上記第３のデータに含まれているアドレス情報に基づいて上記ヘッド手段のアクセスを実行させる。
【００２３】
また上記エラー訂正手段は、上記第１のエラー訂正ブロックの訂正符号の符号数をｍの倍数とし、上記第２のエラー訂正ブロックの訂正符号の符号数を、上記第１のエラー訂正ブロックの訂正符号の符号数のｎ／ｍ（但し、ｎ及びｍは正の整数）として処理を行う。
また上記エラー訂正手段は、上記第１のサブブロックを構成する上記第１の訂正符号の符号数をｍの倍数とし、上記第３のサブブロックを構成する上記第１の訂正符号の符号数を、上記第１のサブブロックの訂正符号の符号数のｎ／ｍ（但し、ｎ及びｍは正の整数）とし、さらに、上記第２のサブブロックを構成する上記第２の訂正符号の符号数をｐの倍数とし、上記第４のサブブロックを構成する上記第２の訂正符号の符号数を、上記第２のサブブロックの訂正符号の符号数のｑ／ｐ（但し、ｐ及びｑは正の整数）として処理を行う。
これらの場合において、上記「ｍ」は、「２」のべき乗の値とする。
また上記「ｎ」は、「１」とする。
【００２４】
また上記第１の変調方式はＲＬＬ（１、７）ＰＰ方式であり、上記第２の変調方式はＭＳＫ変調方式であり、上記第３の変調方式はバイフェーズ変調方式であるとして、それぞれ対応する復調を行う。
或いは、上記第１の変調方式と上記第３の変調方式は同一の変調方式であるとして、必要な復調を行う。
或いは、上記第１の変調方式と上記第３の変調方式はＲＬＬ（１、７）ＰＰ方式であり、上記第２の変調方式はＭＳＫ変調方式であるとして、それぞれ復調を行う。
【００２５】
本発明の再生方法は、書換可能又は追記可能な記録方式による第１のデータの記録再生及びグルーブのウォブリングにより記録されている第２のデータの再生が可能とされる記録再生領域と、グルーブのウォブリングにより記録されている第３のデータの再生のみが可能とされる再生専用領域とを備え、上記第１のデータは、第１の変調方式で記録されるとともに、第１のエラー訂正ブロック構造を有し、上記第２のデータは、第２の変調方式で記録されており、上記第３のデータは、第３の変調方式で記録されるとともに、上記第１のエラー訂正ブロック構造と同一の訂正符号による第２のエラー訂正ブロック構造を有するディスク記録媒体に対する再生方法である。
そして上記記録再生領域の再生時には、上記グルーブにより形成されるトラックに対してレーザ照射を行った際の反射光信号から、トラックのウォブリングに係る信号、及び上記第１のデータに係る信号を抽出し、抽出された上記ウォブリングに係る信号について上記第２の変調方式に対する復調を行ってアドレス情報をデコードするとともに、抽出された上記第１のデータに係る信号について上記第１の変調方式に対する復調、及び上記エラー訂正符号による上記第１のエラー訂正ブロックに対してエラー訂正処理を行って上記第１のデータを再生する。
上記再生専用領域の再生時には、上記グルーブにより形成されるトラックに対してレーザ照射を行った際の反射光信号から、トラックのウォブリングに係る信号を抽出し、抽出された上記ウォブリングに係る信号について上記第３の変調方式に対する復調、及び上記エラー訂正符号による上記第２のエラー訂正ブロックに対してエラー訂正処理を行って上記第３のデータを再生する。
【００２６】
また、上記記録再生領域の再生時には、第１のフレーム構造と、第１の訂正符号からなる第１のサブブロック構造と、第２の訂正符号からなる第２のサブブロック構造とから構成される上記第１のエラー訂正ブロックに対してエラー訂正処理を行い、上記再生専用領域の再生時には、第２のフレーム構造と、上記第１の訂正符号からなる第３のサブブロック構造と、上記第２の訂正符号からなる第４のサブブロック構造とから構成される上記第２のエラー訂正ブロックに対してエラー訂正処理を行う。
【００２７】
また上記記録再生領域の再生時には、上記第２のデータとして抽出されるアドレス情報に基づいてアクセスを実行し、上記再生専用領域の再生時には、上記第３のデータに含まれているアドレス情報に基づいてアクセスを実行する。
【００２８】
また上記エラー訂正処理においては、上記第１のエラー訂正ブロックの訂正符号の符号数をｍの倍数とし、上記第２のエラー訂正ブロックの訂正符号の符号数を、上記第１のエラー訂正ブロックの訂正符号の符号数のｎ／ｍ（但し、ｎ及びｍは正の整数）として処理を行う。
また上記エラー訂正処理においては、上記第１のサブブロックを構成する上記第１の訂正符号の符号数をｍの倍数とし、上記第３のサブブロックを構成する上記第１の訂正符号の符号数を、上記第１のサブブロックの訂正符号の符号数のｎ／ｍ（但し、ｎ及びｍは正の整数）とし、さらに、上記第２のサブブロックを構成する上記第２の訂正符号の符号数をｐの倍数とし、上記第４のサブブロックを構成する上記第２の訂正符号の符号数を、上記第２のサブブロックの訂正符号の符号数のｑ／ｐ（但し、ｐ及びｑは正の整数）として処理を行う。
これらの場合、上記「ｍ」は、「２」のべき乗の値とする。
また上記「ｎ」は、「１」とする。
【００２９】
また上記第１の変調方式はＲＬＬ（１、７）ＰＰ方式であり、上記第２の変調方式はＭＳＫ変調方式であり、上記第３の変調方式はバイフェーズ変調方式であるとして、それぞれ対応する復調を行う。
或いは、上記第１の変調方式と上記第３の変調方式は同一の変調方式であるとして、必要な復調を行う。
或いは、上記第１の変調方式と上記第３の変調方式はＲＬＬ（１、７）ＰＰ方式であり、上記第２の変調方式はＭＳＫ変調方式であるとして、それぞれ復調を行う。
【００３０】
以上のような本発明においては、大容量の追記型もしくは書換型ディスクに対して、上記第３のデータとして出荷時情報（プリレコーデッド情報）を記録するにあたって、グルーブをウォブルすることにより記録するものである。その際にプリレコーデッド情報の記録密度（記録方式、変調方式）は緩くし、用いる誤り訂正符号は上記第１のデータとしての追記型若しくは書換型データと同じ方式とし、エラー訂正ブロックあたりのデータ量を少なくする（例えば１／ｍとする）ことを基本とする。
【００３１】
記録再生領域における第１のデータ（ユーザーデータ）の記録方式としては、相変化による記録方式、あるいは光磁気による記録方式がある。
ディスク出荷時の手間やコストをも考えると、第３のデータとしての出荷時情報のデータを１枚毎に記録する必要のない、スタンパで形成される再生専用データとすることが好適である。
また、第２のデータとしてのプリアドレス情報（ＡＤＩＰ）を記録するにあたって、ピットを用いずグルーブをウォブルすることにより記録した追記型／書換型ディスクにおいては、出荷時情報にもピットを用いず、グルーブをウォブルすることにより記録することが好適である。
【００３２】
ここで、第３のデータたる出荷時情報は、第２のデータたるプリアドレス情報とは必要な性質が異なる。
即ち第２のデータたるプリアドレス情報は、記録密度は低くてよく、また内挿保護などで保証される程度の誤り率でよい。また第２のデータは記録再生領域にウォブリンググルーブとして記録される場合、そのグルーブによるトラックには第１のデータが重畳される。
一方、第３のデータたる出荷時情報は、第１のデータより記録密度は低くても構わないが、読み出し時間を考えると、第２のデータ（プリアドレス情報）程度の記録密度では機能しない。また誤り率は第１のデータと同等以下が求められる。そして、出荷時情報を記録する再生専用領域は、スタンパで形成される領域（ウォブリンググルーブによるデータ）なので、アドレス情報もこの出荷時情報データ中に入れておくことで、プリアドレス情報との重畳は必要ない。
従って、第３のデータ（出荷時情報）と第２のデータ（ＡＤＩＰ）は変調方式を異なるものとすることが考えられる。
【００３３】
ここで、第３のデータをグルーブをウォブルすることにより記録することを考える。ウォブリンググルーブによる記録では、一般的にウォブル振幅も小さく信号のＳ／Ｎ（ＳＮＲ：Signal Noise Ratio）は悪い。
このため、第３のデータ（出荷時情報）の信頼性を確保するためには、第１のデータより十分に記録密度を緩めることが適切となる。
【００３４】
また、第１のデータは、訂正能力、冗長度の面から、大きな誤り訂正符号を用い、深いインターリーブをかけた比較的大きなエラー訂正ブロック（第１のエラー訂正ブロック）を構成する。但し第１のエラー訂正ブロック長は、ディスク上のゴミ、傷の影響を考慮してトラック１周回を超えないで記録できる範囲で、できるだけ大きなブロック長とする。
第３のデータの記録密度を緩めるにあたっても、第１のデータと同様に考え、これも第３のデータについての第２のエラー訂正ブロック長はトラック１周回を超えないものとする。
【００３５】
また第３のデータの記録密度を緩めるにあたって、第１のデータについての第１のエラー訂正ブロックと第３のデータについての第２のエラー訂正ブロックの大きさを異なるものとする。
また、第３のデータについては、訂正能力、冗長度の面から大きな符号とした第１のデータの誤り訂正符号と同一とする。
同一のフレームのデータが、同一の誤り訂正符号上にのるのは望ましくないので、フレーム内のデータ数を誤り訂正符号のインターリーブ数すなわち符号数と同程度かあるいはそれより少ないデータ数とする。
従って、第１のエラー訂正ブロックと第２のエラー訂正ブロックの大きさを異なるものとすることに伴って、フレーム構造を変える。
【００３６】
第１のデータについての第１のエラー訂正ブロックはｍ個の誤り訂正符号から構成される。第３のデータの記録密度を緩めるにともなって第１のデータと第３のデータのエラー訂正ブロックの大きさを変えるにあたって、第３のデータにかかる第２のエラー訂正ブロックをｎ／ｍ個の誤り訂正符号から構成する。
【００３７】
この場合、第１のエラー訂正ブロックの有効データ数は、２のべき乗個（例えば２０４８バイト）の倍数であることが望ましい。
また、第３のデータにかかる第２のエラー訂正ブロックの有効データ数も、２のべき乗個（例えば２０４８バイト）の倍数であることが望ましい。
ＥＤＣ（エラー検出コード）などが付加されると２のべき乗個ではない場合もあるが、第１のエラー訂正ブロックの有効データ数および第２のエラー訂正ブロックの有効データ数がともに有効データ数が２のべき乗個の倍数であるためには、上記ｍは２のべき乗である必要がある。
さらに、第１のエラー訂正ブロックの有効データ数および第２のエラー訂正ブロックの有効データ数がともに有効データ数が２のべき乗個であると、すなわちｎ＝１であると、データのアクセスが容易になる。
【００３８】
上述したように第３のデータ（出荷時情報）のフレーム構造が第１のデータ（ユーザデータ）のフレーム構造と変わった場合、同期信号やＤＣ制御信号（いわゆるｄｃｃ）などの挿入の仕方も変わる。
第３のデータの場合、第１のデータのように第２のデータ（プリアドレス情報）との重畳も考えなくても良いし、第１のデータほどの高密度も要求されない。このため第３のデータの変調方式は簡単なものとしてもよい。
一方、これらの事情がなければ第３のデータの変調方式は第１のデータの変調方式と同じにしても良い。
【００３９】
ウォブリンググルーブによる第３のデータは、予めスタンパで形成されるため、その際にアドレス情報も同時に記録することができ、ディスクドライブ装置ではそれを用いてアクセスが可能である。
この場合、第３のデータのフレームの一部にシンクパターンとシンクＩＤを設け、あるフレームの一部にアドレスユニット番号を設ける。
記録再生領域には第２のデータとしてプリアドレス情報があらかじめ記録されているために、最低限シンクパターンがあればアクセスが可能であるが、シンクパターン、シンクＩＤ、アドレスユニット番号を設けておいてもかまわない。
【００４０】
また第１のデータは書換が行われるデータであるので、書換単位であるクラスタの前後にはランイン／ランアウトなどと呼ばれるリンキング用のフレームが必要とされる。例えばランインは、レーザパワー制御のためのＡＰＣ動作領域、ＰＬＬ引き込み用ＶＦＯパターン、同期引き込み用シンクパターンおよび前のクラスタとのＧＡＰ領域などから成る。ランアウトは、ポストアンブルパターン、ＧＡＰ領域などである。
しかし、第３のデータが記録される再生専用領域では、記録は行われないため、ＡＰＣ領域、ＧＡＰ等は不要である。また同期情報、アドレス情報を含むデータ列が連続的にスタンパで形成されているために、ＰＬＬ引き込み用ＶＦＯパターンは不要であり、ランインがなくてもフレーム同期、フレーム番号による同期、アドレス同期までをかけることができる。
また、続くクラスタもすぐに始まるためデータ列が連続しており、ポストアンブルも不要、すなわちランアウトも不要である
よって、再生専用領域における第３のデータについては、ランイン／ランアウトというリンキング用のフレームは省くことができる。
【発明の効果】
【００４１】
以上の説明から理解されるように本発明よれば、第１のデータ、第２のデータ、第３のデータとして、それぞれに最適な記録方式、変調方式、記録密度を用いたまま、ユーザーデータとしての第１のデータについて大容量記録が可能な追記又は書換型ディスクを実現すると共に、第３のデータとしての出荷時情報を適切に記録できる。
即ち第３のデータ、つまりプリレコーデッド情報とされる出荷時情報について、高い信頼性を保ちつつ、適切なデータ容量で、しかも改ざん不能な情報として記録できるという効果がある。
また本発明によるディスクの場合は、ディスクドライブ装置側においても、用いるデバイス／回路への影響が少なく、構成の簡易化が実現でき、大きなコストアップも生じない。
【００４２】
また、より詳細にいえば、以下の各効果が挙げられる。
第１のデータと第３のデータは、同一の誤り訂正符号を用いている。このため第３のデータと第１のデータはＥＣＣ処理に関して同一のハードウェアを同じものをつかうことができ、ディスクドライブ装置の低コスト化及び構成の簡易化を促進できる。
また、第１のデータは、第１のエラー訂正ブロック構造を有し、また第３のデータは第２のエラー訂正ブロック構造を有することで、第１，第３のデータについてそれぞれに適切なエラー訂正ブロック構造とできる。
特に、第３のデータの記録密度は、第１のデータの記録密度より緩くされているとともに、記第１のエラー訂正ブロックの訂正符号の符号数をｍの倍数とし、上記第２のエラー訂正ブロックの訂正符号の符号数を、上記第１のエラー訂正ブロックの訂正符号の符号数のｎ／ｍとして、第２のエラー訂正ブロックのデータ数を、第１のエラー訂正ブロックのデータ数のｎ／ｍとすることで、第１，第３のデータについてそれぞれに適切なエラー訂正ブロック構造としたうえで、エラー訂正処理にとって都合のよいものとすることができる。
【００４３】
また、第１のエラー訂正ブロックは、第１のフレーム構造と、第１の訂正符号（例えばＬＤＣ）からなる第１のサブブロック構造と、第２の訂正符号（例えばＢＩＳ）からなる第２のサブブロック構造とから構成され、第２のエラー訂正ブロックは、第２のフレーム構造と、上記第１の訂正符号（ＬＤＣ）からなる第３のサブブロック構造と、上記第２の訂正符号（ＢＩＳ）からなる第４のサブブロック構造とから構成されるようにしても、第１のデータと第３のデータについて、同一の誤り訂正符号を用いたうえで、それぞれについて好適なエラー訂正ブロックを実現できる。
特にこの場合、上記第３のデータの記録密度は、上記第１のデータの記録密度より緩くされているとともに、第１のサブブロックを構成する第１の訂正符号の符号数をｍの倍数とし、第３のサブブロックを構成する第１の訂正符号の符号数を、第１のサブブロックの訂正符号の符号数のｎ／ｍとし、また第２のサブブロックを構成する第２の訂正符号の符号数をｐの倍数とし、第４のサブブロックを構成する第２の訂正符号の符号数を、第２のサブブロックの訂正符号の符号数のｑ／ｐとすることで、第１，第３のデータについてそれぞれに適切なエラー訂正ブロック構造としたうえで、エラー訂正処理にとって都合のよいものとすることができる。
これらの場合において、「ｍ」は「２」のべき乗の値、「ｎ」は「１」とすることが最適である。
【００４４】
また再生専用領域は、グルーブのウォブリングによって第３のデータを記録した領域としている。このため、エンボスピットにより第３のデータを記録する必要が無くなる。そしてエンボスピットを形成する必要がないため、グルーブの深さを浅くすることができる。つまりエンボスピットの再生特性を考慮せずに、グルーブの深さを高密度記録にとって最適な状態に設定でき、高密度記録に適切なものとできる。
またディスクドライブ装置側では、第３のデータを第２のデータ（ＡＤＩＰアドレス情報）と同じウォブルチャンネルの再生系で再生（ウォブル情報の抽出）することができる。
【００４５】
またウォブリンググルーブによる第３のデータの記録密度は、第１のデータの記録密度より緩くすることで、ＳＮＲの点で不利なウォブリング信号であっても品質よく再生することができる。
また第３のデータは、ＦＭコード変調等のバイフェーズ変調して記録している。これにより信号を狭帯域化することができ、ＳＮＲを改善することができる。またＰＬＬ、ディテクション回路ともに簡易なハードウェアで構成することができる。
或いは第３のデータを第１のデータと同一の変調方式とした場合も、復調系回路構成を共用でき、ディスクドライブ装置の簡易化を促進できる。
また第３のデータにはアドレス情報が含まれる。これによってディスクドライブ装置は再生専用領域において当該アドレスに基づいて適切にアクセス／再生動作を行うことができる。
【図面の簡単な説明】
【００４６】
【図１】本発明の実施の形態のディスクのグルーブの説明図である。
【図２】実施の形態のディスクのエリア構造の説明図である。
【図３】実施の形態のディスクのグルーブのウォブリング方式の説明図である。
【図４】実施の形態のフェイズチェンジマークのＥＣＣブロック及びデータフレーム構造の説明図である。
【図５】実施の形態のフェイズチェンジマークのＥＣＣブロック構造の説明図である。
【図６】実施の形態のフェイズチェンジマークのＲＵＢのフレーム構造の説明図である。
【図７】実施の形態のＡＤＩＰ情報の変調方式の説明図である。
【図８】実施の形態のＲＵＢに対するアドレスブロックの説明図である。
【図９】実施の形態のディスクのシンクパートの説明図である。
【図１０】実施の形態のディスクのシンクビットパターンの説明図である。
【図１１】実施の形態のディスクのデータパートの説明図である。
【図１２】実施の形態のディスクのＡＤＩＰビットパターンの説明図である。
【図１３】実施の形態のＡＤＩＰ情報のＥＣＣ構造の説明図である。
【図１４】実施の形態のプリレコーデッド情報の変調方式の説明図である。
【図１５】実施の形態のプリレコーデッド情報のＥＣＣブロック及びデータフレーム構造の説明図である。
【図１６】実施の形態のプリレコーデッド情報のＥＣＣブロック構造の説明図である。
【図１７】実施の形態のプリレコーデッド情報のクラスタのフレーム構造の説明図である。
【図１８】実施の形態のプリレコーデッド情報のクラスタのフレーム構造の説明図である。
【図１９】実施の形態のＬＤＣサブブロックのデータ列変換の説明図である。
【図２０】実施の形態のＬＤＣサブブロックのデータ列変換の説明図である。
【図２１】実施の形態のＬＤＣサブブロックのデータ列変換の説明図である。
【図２２】実施の形態のＢＩＳサブブロック構造の説明図である。
【図２３】実施の形態のＢＩＳサブブロックのデータ列変換の説明図である。
【図２４】実施の形態のＢＩＳサブブロックのデータ列変換の説明図である。
【図２５】実施の形態のＢＩＳサブブロックのデータ列変換の説明図である。
【図２６】実施の形態のＬＤＣサブブロックとＢＩＳサブブロックのデータによるフレーム構成の説明図である。
【図２７】実施の形態のプリレコーデッド情報のＥＣＣブロック及びデータフレーム構造の説明図である。
【図２８】実施の形態のプリレコーデッド情報のクラスタのフレーム構造の説明図である。
【図２９】実施の形態のプリレコーデッド情報のクラスタのフレーム構造の説明図である。
【図３０】実施の形態のプリレコーデッド情報のフレームシンクの説明図である。
【図３１】実施の形態のプリレコーデッド情報のフレームシンク配置の説明図である。
【図３２】実施の形態のディスクドライブ装置のブロック図である。
【図３３】実施の形態のディスクドライブ装置のウォブル回路のブロック図である。
【図３４】実施の形態のディスクを製造するカッティング装置のブロック図である。
【発明を実施するための形態】
【００４７】
以下、本発明の実施の形態としての光ディスクを説明するとともに、その光ディスクに対応するディスクドライブ装置（記録再生装置）及び製造方法について、下記の順序で説明する。
この実施の形態の光ディスクは、例えばＤＶＲ（Data&Video Recording）と呼ばれて近年開発されているディスクの範疇に属するものとする。
１．ＤＶＲディスクに対応する実施の形態における本発明の概要
２．ディスクの物理特性
３．ユーザーデータのＥＣＣブロック構造
４．ＡＤＩＰアドレス
５．プリレコーデッド情報（出荷時情報）
６．ディスクドライブ装置
７．ディスク製造方法
８．変形例
【００４８】
１．ＤＶＲディスクに対応する実施の形態における本発明の概要
まず、本発明（請求項）に係る語句と、ＤＶＲシステムに対応する実施の形態として説明上用いる語句についての対応関係を示しておく。もちろん本発明の各請求項における語句の意味が、実施の形態における対応する語句の意味に限定されるものではない。
【００４９】
第１のデータ：ユーザーデータ（記録再生の主たる対象となるメインデータで                あって、フェーズチェンジマークによって記録されるデータ）
第２のデータ：ＡＤＩＰ（記録再生領域におけるウォブリンググルーブによっ                て記録されているプリアドレス情報）
第３のデータ：出荷時情報（再生専用領域におけるウォブリンググルーブによ                って記録されているプリレコーデッド情報）
第１の変調方式：ＲＬＬ（１、７）ＰＰ方式
第２の変調方式：ＭＳＫ変調方式
第３の変調方式：バイフェーズ変調方式
訂正符号：ＬＤＣ（Long Distance Code）及びＢＩＳ（burst indicating                     subcode）
第１の訂正符号：ＬＤＣ
第２の訂正符号：ＢＩＳ
エラー訂正ブロック：ＬＤＣ及びＢＩＳを用いたＥＣＣブロック
第１、第３のサブブロック：ＬＤＣサブブロック
第２、第４のサブブロック：ＢＩＳサブブロック
【００５０】
ＤＶＲにおいてフェイズチェンジマークによるデータ（ユーザーデータ）のデータブロックは、実データ、つまりユーザーデータのサブブロックと、ユーザーデータのための付加・制御情報（ユーザコントロールデータ）のサブブロックとから構成される。ＡＤＩＰとしてのプリアドレス情報とは別の、データ中のアドレス情報なども、この付加・制御情報として入れられる。
詳しくは後述するが、データブロック全体の誤り訂正能力を確保するために、各々のサブブロックに必要とされる誤り訂正符号が用いられる。
即ち、ユーザーデータに対してエラー訂正符号としてのＬＤＣによりＬＤＣサブブロックが構成され、またユーザコントロールデータに対してエラー訂正符号としてのＢＩＳによりＢＩＳサブブロックが構成される。
データフレームはＬＤＣサブブロックとＢＩＳサブブロックからのデータによって構成される。
ここで、同一のフレームのデータが同一の誤り訂正符号上にのるのは望ましくないので、フレーム内のデータ数を各々の誤り訂正符号のインターリーブ数すなわち符号数の和と同程度かあるいはそれより少ないデータ数とする。
【００５１】
出荷時情報のデータブロックについても同様に、出荷時情報としての実データたるプリレコーデッドデータからなるサブブロックと出荷時情報のための付加・制御情報からなるプリレコーデッドコントロールデータから成るサブブロックから構成する。
そしてデータブロック全体の誤り訂正能力を確保するために、各々のサブブロックに必要な誤り訂正符号を用いる。即ち本例では実際の出荷時情報としてのプリレコーデッドデータに対してエラー訂正符号としてのＬＤＣによりＬＤＣサブブロックが構成され、またプリレコーデッドコントロールデータに対してエラー訂正符号としてのＢＩＳによりＢＩＳサブブロックが構成される。
そして出荷時情報のブロックについても、データフレームはＬＤＣサブブロックとＢＩＳサブブロックからのデータによって構成され、フレーム内のデータ数を各々の誤り訂正符号のインターリーブ数すなわち符号数の和と同程度かあるいはそれより少ないデータ数とする。
【００５２】
つまりユーザデータ及びプリレコーデッドデータとしての実データのサブブロックの誤り訂正符号は同じ（ＬＤＣ）とし、ユーザコントロールデータ及びプリレコーデッドコントロールデータとしての、付加・制御情報のサブブロックの誤り訂正符号は同じ（ＢＩＳ）とする。
【００５３】
この方式では、ユーザーデータのブロック内の、実データからなるサブブロックは、ｍ個の誤り訂正符号（ＬＤＣ）から構成される。
出荷時情報としてのプリレコーデッドデータの記録密度を緩めるにともなってユーザーデータとプリレコーデッドデータのブロックの大きさを異なるものとするにあたって、プリレコーデッドデータのブロック内の、実データからなるサブブロックをｎ／ｍ個の誤り訂正符号（ＬＤＣ）から構成する。
この場合、ユーザーデータのブロック内の、実データからなるサブブロックの有効データ数は、２のべき乗個（例えば２０４８バイト）の倍数であることが望ましい。
また、出荷時情報たるプリレコーデッドデータのブロック内の、実データからなるサブブロックの有効データ数も、２のべき乗個（例えば２０４８バイト）の倍数であることが望ましい。
ＥＤＣなどが付加されると２のべき乗個ではない場合もあるが、ユーザーデータ１ブロック内の、実データからなるサブブロックの有効データ数および出荷時情報１ブロック内の、実データからなるサブブロックの有効データ数がともに有効データ数が２のべき乗個の倍数であるためには、上記ｍは２のべき乗である必要がある。
さらに、ユーザーデータ１ブロックの有効データ数および出荷時情報１ブロックの有効データ数がともに有効データ数が２のべき乗個であると、すなわちｎ＝１であるとデータのアクセスが容易になる。
【００５４】
ユーザーデータのブロック内の、付加・制御情報からなるサブブロックは、ｐ個の誤り訂正符号（ＢＩＳ）から構成される。
出荷時情報の記録密度を緩めるにともなってユーザーデータと出荷時情報のブロックの大きさを変えるにあたって、出荷時情報のブロック内の、付加・制御情報からなるサブブロックをｑ／ｐ個の誤り訂正符号（ＢＩＳ）から構成する。
これらは、データのための付加・制御情報であるためｐは２のべき乗である必要はなく、ｑ＝１である必要もない。
【００５５】
出荷時情報が記録される再生専用領域はあらかじめデータがスタンパで形成されるため、出荷時情報内のデータとしてアドレス情報も同時に記録することができる。するとディスクドライブ装置では、そのアドレス情報を用いてアクセスが可能となる。
出荷時情報のフレームの一部にシンクパターンとシンクＩＤを設け、あるフレームの一部にアドレスユニット番号を設ける。
即ちＤＶＲのシステムにおいては、出荷時情報のフレーム中の、実データからなるサブブロックに相当するデータの一部にシンクパターンとシンクＩＤを設け、出荷時情報のフレーム中の、付加・制御情報からなるサブブロックに相当するデータの一部にアドレスユニット番号を設ける。
ユーザーデータが記録される記録再生領域にはプリアドレスデータ（ＡＤＩＰ）があらかじめ記録されているために、最低限シンクパターンがあればアクセスが可能であるが、シンクパターン、シンクＩＤ、アドレスユニット番号を設けておいても問題ない。
【００５６】
ユーザーデータについては、リンキングの為に、書換単位となるクラスタの前後にはランイン／ランアウトなどと呼ばれるリンキング用のフレームが必要とされる。ランインは、レーザパワー制御のためのＡＰＣ動作領域、ＰＬＬ引き込み用ＶＦＯパターン、同期引き込み用シンクパターンおよび前のクラスタとのＧＡＰ領域などから成る。ランアウトは、ポストアンブルパターン、ＧＡＰ領域などである。
しかし、出荷時情報が記録される再生専用領域では、記録は行われないため、ＡＰＣ領域、ＧＡＰ等は不要である。また同期情報、アドレス情報を含むデータ列が連続的にスタンパで形成されているために、ＰＬＬ引き込み用ＶＦＯパターンは不要であり、ランインがなくてもフレーム同期、フレーム番号による同期、アドレス同期までをかけることができる。
また、続くクラスタもすぐに始まるためデータ列が連続しており、ポストアンブルも不要、すなわちランアウトも不要である
よって、再生専用領域における出荷時情報については、ランイン／ランアウトというリンキング用のフレームは省くことができる。
【００５７】
２．ディスクの物理特性
以下、本実施の形態を具体的に説明していく。
まず実施の形態となるディスクにおける物理的な特性及びウォブリングトラックについて説明する。
【００５８】
本例の光ディスクは、例えばＤＶＲ（Data&Video Recording）と呼ばれて近年開発されているディスクの範疇に属するものであり、特にＤＶＲ方式として新規なウォブリング方式を有するものである。
本例の光ディスクは、相変化方式でデータの記録を行う光ディスクであり、ディスクサイズとしては、直径が１２０ｍｍとされる。また、ディスク厚は１．２ｍｍとなる。即ちこれらの点では外形的に見ればＣＤ（Compact Disc）方式のディスクや、ＤＶＤ（Digital Versatile Disc）方式のディスクと同様となる。
【００５９】
記録／再生のためのレーザ波長は４０５ｎｍとされ、いわゆる青色レーザが用いられるものとなる。光学系のＮＡは０．８５とされる。
相変化マーク（フェイズチェンジマーク）が記録されるトラックのトラックピッチは０．３２μｍ、線密度０．１２μｍとされる。
そしてユーザーデータ容量としては約２３Ｇバイトを実現している。
【００６０】
データ記録はグルーブ記録方式である。つまりディスク上には予めグルーブ（溝）によるトラックが形成され、このグルーブに対して記録が行われる。
図１（ａ）に模式的に示すように、ディスク上は、最内周側から最外周側までグルーブＧＶがスパイラル状に形成される。なお別例として、グルーブＧＶを同心円状に形成することも可能である。
また、ディスクはＣＬＶ（線速度一定）方式で回転駆動されてデータの記録再生が行われるものとしているが、グルーブＧＶについてもＣＬＶとされる。従って、トラック１周回のグルーブのウォブリング波数はディスク外周側に行くほど多くなる。
【００６１】
このようなグルーブＧＶは、図１（ｂ）に示すようにウォブリング（蛇行）されて形成されることにより物理アドレスが表現される。
つまりグルーブＧＶの左右の側壁は、アドレス等に基づいて生成された信号に対応して蛇行している。
グルーブＧＶとその隣のグルーブＧＶの間はランドＬとされ、上述のようにデータの記録はグルーブＧＶに行われる。つまりグルーブＧＶがデータトラックとなる。なお、ランドＬをデータトラックとしてデータの記録をランドＬに行うようにすることや、グルーブＧＶとランドＬの両方をデータトラックとして用いることも考えられる。
【００６２】
図２は、ディスク全体のレイアウト（領域構成）を示す。
ディスク上の領域としては、内周側からリードインゾーン、データゾーン、リードアウトゾーンが配される。
また、記録・再生に関する領域構成としてみれば。リードインゾーンの内周側がＰＢゾーン（再生専用領域）、リードインゾーンの外周側からリードアウトゾーンまでがＲＷゾーン（記録再生領域）とされる。
【００６３】
リードインゾーンは、半径２４ｍｍより内側に位置する。そして半径２２．３〜２３．１ｍｍがプリレコーデッドデータゾーンとされる。
プリレコーデッドデータゾーンは、あらかじめ出荷時情報（プリレコーデッド情報）を、ディスク上にスパイラル状に形成されたグルーブをウォブリングすることによって記録してある。これは書換不能な再生専用の情報であり、つまりプリレコーデッドデータゾーンが上記ＰＢゾーン（再生専用領域）となる。
【００６４】
リードインゾーンにおいて半径２３．１〜２４ｍｍにはテストライトエリア及びディフェクトマネジメントエリアが設けられる。
テストライトエリアは記録／再生時のレーザパワー等、フェーズチェンジマークの記録再生条件を設定する際の試し書きなどにつかわれる。
ディフェクトマネジメントエリアはディスク上のディフェクト情報を管理する情報を記録再生する。
【００６５】
半径２４．０〜５８．０ｍｍがデータゾーンとされる。データゾーンは、実際にユーザーデータがフェイズチェンジマークにより記録再生される領域である。
半径５８．０〜５８．５ｍｍはリードアウトゾーンとされる。リードアウトゾーンは、リードインゾーンと同様のディフェクトマネジメントエリアが設けられたり、また、シークの際、オーバーランしてもよいようにバッファエリアとしてつかわれる。
半径２３．１ｍｍ、つまりテストライトエリアから、リードアウトゾーンまでが、フェイズチェンジマークが記録再生されるＲＷゾーン（記録再生領域）とされる。
【００６６】
図３にＲＷゾーンとＰＢゾーンのトラックの様子を示す。図３（ａ）はＲＷゾーンにおけるグルーブのウォブリングを、図３（ｂ）はＰＢゾーンにおけるグルーブのウォブリングを、それぞれ示している。
【００６７】
ＲＷゾーンでは、あらかじめアドレス情報（ＡＤＩＰ）を、トラッキングを行うために、ディスク上にスパイラル状に形成されたグルーブをウォブリングすることによって形成してある。
アドレス情報を形成したグルーブには、フェーズチェンジマークにより情報を記録再生する。
図３（ａ）に示すように、ＲＷゾーンにおけるグルーブ、つまりＡＤＩＰアドレス情報を形成したグルーブトラックは、トラックピッチＴＰ＝０．３２μｍとされている。
このトラック上にはフェイズチェンジマークによるレコーディングマークが記録されるが、フェーズチェンジマークはＲＬＬ（１，７）ＰＰ変調方式（ＲＬＬ；Run Length Limited、ＰＰ：Parity preserve/Prohibit rmtr(repeated minimum transition runlength)）等により、線密度0.12μｍ/bit、0.08μｍ/ch bitで記録される。
１ｃｈビットを１Ｔとすると、マーク長は２Ｔから８Ｔで最短マーク長は２Ｔである。
アドレス情報は、ウォブリング周期を６９Ｔとし、ウォブリング振幅ＷＡはおよそ２０ｎｍ（p-p）である。
【００６８】
アドレス情報と、フェーズチェンジマークは、その周波数帯域が重ならないようにしており、これによってそれぞれの検出に影響を与えないようにしてある。
アドレス情報のウォブリングのＣＮＲ（carrier noise ratio）はバンド幅３０ＫＨｚのとき、記録後３０ｄＢであり、アドレスエラーレートは節動（ディスクのスキュー，デフォーカス、外乱等）による影響を含めて１×１０−３以下である。
【００６９】
一方、図３（ｂ）のＰＢゾーンにおけるグルーブによるトラックは、上記図３（ａ）のＲＷゾーンのグルーブによるトラックより、トラックピッチが広く、ウォブリング振幅が大きいものとされている。
即ちトラックピッチＴＰ＝０．３５μｍであり、ウォブリング周期は３６Ｔ、ウォブリング振幅ＷＡはおよそ４０ｎｍ（p-p）とされている。ウォブリング周期が３６Ｔとされることはプリレコーデット情報の記録線密度はＡＤＩＰ情報の記録線密度より高くなっていることを意味する。また、フェーズチェンジマークは最短２Ｔであるから、プリレコーデッド情報の記録線密度はフェーズチェンジマークの記録線密度より低い。
このＰＢゾーンのトラックにはフェーズチェンジマークを記録しない。
【００７０】
ウォブリング波形は、ＲＷゾーンでは正弦波状に形成するが、ＰＢゾーンでは、正弦波状か或いは矩形波状で記録することができる。
【００７１】
フェーズチェンジマークは、バンド幅３０ＫＨｚのときＣＮＲ５０ｄＢ程度の信号品質であれば、データにＥＣＣ（エラー訂正コード）をつけて記録再生することで、エラー訂正後のシンボルエラーレートを１×１０-16以下を達成でき、データの記録再生として使えることが知られている。
ＡＤＩＰアドレス情報についてのウォブルのＣＮＲはバンド幅３０ＫＨｚのとき、フェイズチェンジマークの未記録状態で３５ｄＢである。
アドレス情報としては、いわゆる連続性判別に基づく内挿保護を行うことなどによりこの程度の信号品質で十分であるが、ＰＢゾーンに記録するプリレコーデッド情報については、フェイズチェンジマークと同等のＣＮＲ５０ｄＢ以上の信号品質は確保したい。このため、図３（ｂ）に示したようにＰＢゾーンでは、ＲＷゾーンにおけるグルーブとは物理的に異なるグルーブを形成するものである。
【００７２】
まず、トラックピッチを広くすることにより、となりのトラックからのクロストークをおさえることができ、ウォブル振幅を２倍にすることにより、ＣＮＲを＋６ｄＢ改善できる。
さらにウォブル波形として矩形波をつかうことによって、ＣＮＲを＋２ｄＢ改善できる。
あわせてＣＮＲは43dBである。
フェーズチェンジマークとプリレコーデッドデータゾーンのウォブルの記録帯域の違いは、ウォブル１８Ｔ（１８Ｔは３６Ｔの半分）；フェイズチェンジマーク２Ｔで、この点で９．５ｄＢ得られる。
従ってプリレコーデッド情報としてのＣＮＲは５２．５ｄＢ相当であり、となりのトラックからのクロストークとして−２ｄＢを見積もっても、ＣＮＲ５０．５ｄＢ相当である。つまり、ほぼフェーズチェンジマークと同程度の信号品質となり、ウォブリング信号をプリレコーデッド情報の記録再生に用いることが十分に適切となる。
【００７３】
３．ユーザーデータのＥＣＣブロック構造
ＲＷゾーン（記録再生領域）にフェーズチェンジマークにより記録されるユーザデータのＥＣＣブロック構造を図４で説明する。
【００７４】
ユーザーデータのデータブロックは３２セクターで構成されるが、このデータブロックはユーザーデータによるサブブロックとユーザコントロールデータによるサブブロックにより構成される。
【００７５】
図４に示すようにユーザデータによるサブブロックは、６４Ｋバイト、即ち２０４８バイト×３２セクタの単位となる。
このデータ単位に対して、１セクタにつき４バイトのＥＤＣ（エラー検出コード）が付加され、２０５２バイト×３２セクタの単位のデータフレームとされる。
さらにスクランブル処理されてスクランブルドデータフレームとされる。
そしてリードソロモン符号化されて、２１６行（row）×３０４列（colum）のデータブロックが構成される。さらに３２行のパリティが付加されて、ＬＤＣ（Long Distance Code）サブブロックが構成される。ＬＤＣは、符号間距離が大きい訂正符号である。ＬＤＣサブブロックは、ＲＳ（２４８，２１６，３３）×３０４のブロックである。
そして、ＬＤＣサブブロックから、ＬＤＣクラスタ（４９６行×１５２列）が構成される。
【００７６】
ユーザデータによるサブブロックからＬＤＣサブブロックまでのエンコードの様子を図５（ａ）（ｂ）に示している。
図５（ａ）に示すユーザーデータ６４ＫＢについては、図５（ｂ）のようにＥＣＣエンコードされる。即ちメインデータは１セクタ２０４８Ｂについて４ＢのＥＤＣ(error detection code)を付加し、３２セクタに対し、ＬＤＣを符号化する。ＬＤＣはＲＳ(248,216,33)、符号長２４８、データ２１６、ディスタンス３３のＲＳ(reed solomon)コードである。３０４の符号語がある。
【００７７】
一方、図４に示すように、ユーザコントロールデータによるサブブロックは、各１８バイトの３２ユニットの単位となる。また、アドレスユニットナンバとして各９バイトの１６アドレスの単位となる。
この７２０バイトが符号化の単位となる。
即ち、この７２０バイトがリードソロモン符号化されて、３０行×２４列のアクセスブロックとされる。
そして、これに３２行のパリティが付加されて、ＢＩＳ（burst indicating subcode）サブブロックが構成される。ＢＩＳは、光ディスクのバーストエラーの位置を示すためのサブコードである。
ＢＩＳサブブロックは、ＲＳ（６２，３０，３３）×２４のブロックである。そして、ＢＩＳサブブロックから、ＢＩＳクラスタ（４９６行×３列）が構成される。
【００７８】
ユーザコントロールデータ及びアドレスユニットナンバとしての７２０バイトからＢＩＳサブブロックまでのエンコードの様子を図５（ｃ）（ｄ）に示している。
即ちＢＩＳサブブロックは、図５（ｃ）に示す７２０Ｂのデータに対して、図５（ｄ）のようにＥＣＣエンコードされる。即ちＲＳ(62,30,33)、符号長６２、データ３０、ディスタンス３３のＲＳ(reed solomon)コードである。２４の符号語がある。
【００７９】
図４に示すように、記録再生単位であるＬＤＣクラスタおよびＢＩＳクラスタは、それぞれ４９６（行）のデータフレームから構成され、１フレームは、ＬＤＣクラスタが１５２バイト、ＢＩＳクラスタが３バイトである。
従ってデータフレームとしての１フレームは、１５２＋３＝１５５バイトとされる。図示するように、３８バイトのＬＤＣと１バイトのＢＩＳが交互に配置されていくことで１５５バイトのデータフレームが構成されることとなる。
この１５５バイトのデータフレームの４９６行、つまり４９６フレームがＥＣＣブロックとなる。
【００８０】
そして各データフレームに対してＲＬＬ（１，７）ＰＰ変調が施され、その際にｄｃｃ（ＤＣフリーとするためのビット）やフレームシンクが付加されて記録フレームが構成される。この場合、データフレームから変調されたデータは、先頭の１グループは２５ビット、残り２７グループは４５ビットとなるように分割され、それぞれのグループの後に、１ビットのｄｃｃが挿入され、先頭に２０ビットのフレームシンク（frame sync）が挿入されて、１２８８ビット（ＲＬＬ（１，７）ＰＰ変調により、１９３２チャネルビットに変換される）の記録フレームとなる。（ＲＬＬ（１，７）ＰＰ変調では、２データビットが３チャンネルビットに変換される。）
【００８１】
このような記録フレームが、ディスクのＲＷゾーンにおけるトラックに記録されるデータ構造となる。
記録密度は、ＤＶＲにおいてＲＬＬ（１，７）ＰＰ変調の チャンネルビットあたり0.08μｍ程度が考えられる。
【００８２】
ＢＩＳはＬＤＣの符号より訂正能力が非常に優れた符号をもちいており、ほぼ、すべて訂正される。つまり符号長６２に対してディスタンスが３３という符号を用いている。
このため、エラーが検出されたＢＩＳのシンボルは次のように使うことができる。
ＥＣＣのデコードの際、ＢＩＳを先にデコードする。図４のデータフレーム構造において隣接したＢＩＳ（あるいはフレームシンク）の２つがエラーの場合、両者のあいだにはさまれたデータ３８Ｂはバーストエラーとみなされる。このデータ３８Ｂにはそれぞれエラーポインタが付加される。ＬＤＣではこのエラーポインタをつかって、ポインターイレージャ訂正をおこなう。
これによりＬＤＣだけの訂正より、訂正能力を上げることができる。
ＢＩＳにはアドレス情報等が含まれているが、このアドレスは、ＲＯＭタイプディスク等で、ウォブリンググルーブによるアドレス情報がない場合等につかわれる。
【００８３】
図６にクラスタ単位でのフレーム構造を示している。
上記のように１５５バイトのデータフレーム（１９３２チャンネルビットの記録フレーム）は、４９６行、つまり４９６フレームでＥＣＣブロックが構成される。この４９６フレームの前後に、リンキングのためのランイン、ランアウトとしてのフレームが付加された、４９８フレームが記録単位（ＲＵＢ：recording unit block）としてのクラスタとなる。
【００８４】
また、上述したようにアドレスユニットナンバとして１６個のアドレスが付加されるが、ランイン、ランアウトを除いた４９６フレームのＬＤＣクラスタの部分は、フレームナンバ０〜３０の３１フレームを単位として１６個に分割され、１６個のアドレス（アドレスユニットナンバ０〜１５）がそれぞれに割り当てられる状態となる。
【００８５】
４．ＡＤＩＰアドレス
続いて、ＲＷゾーンにおけるウォブリンググルーブとして記録されるＡＤＩＰアドレスについて説明する。
図７は、グルーブをウォブリングしたＡＤＩＰアドレスの変調方法として、ＦＳＫ変調の一つであるＭＳＫ(minimum shift keying)変調を用いたものを示している。
【００８６】
データの検出長は２ウォブル区間を単位とする。なお、１ウォブル区間とはキャリア周波数によるウォブルの１周期区間である。
アドレス等のデータは、図７（ａ）（ｂ）に示すように、記録前に、１ウォブルを単位として、差動符号化する。
つまり、記録前の差動符号化後のプリコードデータにおいて、データが“１”のエッジの立ち上がりと立ち下がりの１ウォブル期間が、“１”になる。
このようなプリコードデータをＭＳＫ変調したＭＳＫストリームでは、図７（ｃ）のように、プリコードデータが“０”のとき、キャリアであるcosωｔあるいは−cosωｔとなり、プリコードデータが“１”のとき、キャリアの周波数の1.5倍のcos1.5ωｔあるいは−cos1.5ωｔとなる。
キャリアの周期は図に示すように、記録再生するフェーズチェンジデータの１チャンネルビット長を１chとすると、６９chである。
【００８７】
ＭＳＫ変調を用いたＡＤＩＰの１データビットは５６ウォブル期間に相当し、１ウォブル期間は、図３（ａ）で述べたようにユーザデータに用いるＲＬＬ（１，７）ＰＰ変調の６９チャンネルビットに相当する。
従ってＡＤＩＰデータビットの記録密度は、ＲＬＬ（１，７）ＰＰ変調のユーザデータに比べて１／２５７６となる。
【００８８】
本例の場合、上述したユーザデータの記録単位である１つのＲＵＢ（recording unit block：記録クラスタ）に対しては、ＡＤＩＰアドレスとして３つのアドレスが入るものとされる。
図８にその様子を示す。ＲＵＢ（記録クラスタ）は、図６に示したように、データのＥＣＣブロックとしての４９６フレームに、リンキングのためのランイン、ランアウトを付加した４９８フレームとして記録単位である。
そして図８（ａ）のように１つのＲＵＢに相当する区間において、ＡＤＩＰとしては３つのアドレスブロックが含まれることになる。
１つのアドレスブロックは８３ビットから形成される。
【００８９】
図８（ｂ）に１つのアドレスブロックの構成を示している。８３ビットのアドレスブロックは、８ビットのシンクパート（同期信号パート）と、７５ビットのデータパートからなる。
シンクパートの８ビットでは、モノトーンビット（１ビット）とシンクビット（１ビット）によるシンクブロックが４単位形成される。
データパートの７５ビットでは、モノトーンビット（１ビット）とＡＤＩＰビット（４ビット）によるＡＤＩＰブロックが１５単位形成される。
【００９０】
モノトーンビット、シンクビット、及びＡＤＩＰビットは、それぞれ５６ウォブル期間のウォブルで形成される。これらのビットの先頭にはビットシンクの為のＭＳＫマークが配される。
そしてモノトーンビットはＭＳＫマークに続いて、キャリア周波数によるウォブルが連続して形成される。シンクビット及びＡＤＩＰビットは後述するが、ＭＳＫマークに続いて、ＭＳＫ変調波形によるウォブルを有して形成される。
【００９１】
まずシンクパートの構成を図９で説明する。
図９（ａ）（ｂ）からわかるように、８ビットのシンクパートは、４つのシンクブロック（ｓｙｎｃ  ｂｌｏｃｋ“０”“１”“２”“３”）から形成される。各シンクブロックは２ビットである。
【００９２】
ｓｙｎｃ  ｂｌｏｃｋ“０”は、モノトーンビットとシンク“０”ビットで形成される。
ｓｙｎｃ  ｂｌｏｃｋ“１”は、モノトーンビットとシンク“１”ビットで形成される。
ｓｙｎｃ  ｂｌｏｃｋ“２”は、モノトーンビットとシンク“２”ビットで形成される。
ｓｙｎｃ  ｂｌｏｃｋ“３”は、モノトーンビットとシンク“３”ビットで形成される。
【００９３】
各シンクブロックにおいて、モノトーンビットは上述したようにキャリアをあらわす単一周波数のウォブルが連続する波形であり、これを図１０（ａ）に示す。即ち５６ウォブル期間に、先頭にビットシンクｂｓとしてのＭＳＫマークが付され、それに続いて単一周波数のウォブルが連続する。
なお図１０（ａ）〜（ｅ）において、それぞれウォブル振幅の下段にＭＳＫマークパターンを示している。
【００９４】
シンクビットとしては、上記のようにシンク“０”ビット〜シンク“３”ビットまでの４種類がある。
これら４種類の各シンクビットは、それぞれ図１０（ｂ）（ｃ）（ｄ）（ｅ）に示すようなウォブルパターンとされる。
【００９５】
図１０（ｂ）のシンク“０”ビットは、ビットシンクｂｓとしてのＭＳＫマークに続いて、１６ウォブル区間後にＭＳＫマークがあり、さらに１０ウォブル区間後にＭＳＫマークがあるパターンとなる。
シンク“１”ビット〜シンク“３”ビットは、それぞれＭＳＫマークの位置を２ウォブル区間後方にずらしたパターンである。
即ち図１０（ｃ）のシンク“１”ビットは、ビットシンクｂｓとしてのＭＳＫマークに続いて、１８ウォブル区間後にＭＳＫマークがあり、さらにその１０ウォブル区間後にＭＳＫマークがあるパターンとなる。
図１０（ｄ）のシンク“２”ビットは、ビットシンクｂｓとしてのＭＳＫマークに続いて、２０ウォブル区間後にＭＳＫマークがあり、さらにその１０ウォブル区間後にＭＳＫマークがあるパターンとなる。
図１０（ｅ）のシンク“３”ビットは、ビットシンクｂｓとしてのＭＳＫマークに続いて、２２ウォブル区間後にＭＳＫマークがあり、さらにその１０ウォブル区間後にＭＳＫマークがあるパターンとなる。
【００９６】
各シンクパターンは、モノトーンビット及び次に説明するＡＤＩＰビットに対してユニークなパターンとなっている。このように４つのパターンのシンクビットが、各シンクブロックに配されることになり、ディスクドライブ装置側では、シンクパート区間からこの４つのパターンのシンクユニットのいずれかを検出できれば、同期をとることができるようにされている。
【００９７】
次にアドレスブロックにおけるデータパートの構成を図１１で説明する。
図１１（ａ）（ｂ）からわかるように、データパートは、１５個のＡＤＩＰブロック（ＡＤＩＰ  ｂｌｏｃｋ“０”〜“１４”）から形成される。各ＡＤＩＰブロックは５ビットである。
【００９８】
５ビットの各ＡＤＩＰブロックは、モノトーンビットが１ビットとＡＤＩＰビットが４ビットで構成される。
各ＡＤＩＰブロックにおいて、シンクブロックの場合と同様に、モノトーンビットは５６ウォブル期間において先頭にビットシンクｂｓとしてのＭＳＫマークが配され、続いてキャリア周波数のウォブルが連続する波形であり、これを図１２（ａ）に示している。
【００９９】
１つのＡＤＩＰブロックに４ビットのＡＤＩＰビットが含まれるため、１５個のＡＤＩＰブロックにより６０ＡＤＩＰビットでアドレス情報が形成される。
ＡＤＩＰビットとしての「１」及び「０」のパターンを図１２（ｂ）（ｃ）に示す。
ＡＤＩＰビットとしての値が「１」の場合のウォブル波形パターンは、図１２（ｂ）に示すように、先頭に配されるビットシンクｂｓとしてのＭＳＫマークに続いて、１２ウォブル区間後方にＭＳＫマークが配される。
ＡＤＩＰビットとしての値が「０」の場合のウォブル波形パターンは、図１２（ｃ）に示すように、先頭に配されるビットシンクｂｓとしてのＭＳＫマークに続いて、１４ウォブル区間後方にＭＳＫマークが配される。
【０１００】
以上のようにして、ウォブリンググルーブにはＭＳＫ変調データが記録されることになるが、このように記録されるＡＤＩＰ情報としてのアドレスフォーマットは図２１のようになる。
【０１０１】
図１３によりＡＤＩＰアドレス情報に対するエラー訂正の方法を示す。
ＡＤＩＰアドレス情報は３６ビットあり、これに対してパリティ２４ビットが付加される。
３６ビットのＡＤＩＰアドレス情報は、多層記録用にレイヤナンバ３bit（layer no.bit 0〜layer no.bit2）、ＲＵＢ(recording unit block)用に１９bit（RUB no.bit 0〜layer no.bit 18）、１ＲＵＢに対する３つのアドレスブロック用に２bit（address no.bit 0、address no.bit1）とされる。
また、記録再生レーザパワー等の記録条件を記録したdisc ID等、ＡＵＸデータとして１２bitが用意されている。
【０１０２】
アドレスデータとしてのＥＣＣ単位は、このように合計６０ビットの単位とされ、図示するようにNibble0〜Nibble14の１５ニブル（１ニブル＝４ビット）で構成される。
エラー訂正方式としては４ビットを１シンボルとした、nibbleベースのリードソロモン符号ＲＳ(15,9,7)である。つまり、符号長１５ニブル、データ９ニブル、パリティ６ニブルである。
【０１０３】
５．プリレコーデッド情報（出荷時情報）
図１４に、プリレコーデッドデータゾーンにおけるウォブリンググルーブを形成するための、プリレコーデッド情報（出荷時情報）の変調方法を示す。
変調はバイフェーズ変調方式として例えばＦＭコード変調を用いる。
図１４（ａ）にデータビット、図１４（ｂ）にチャンネルクロック、図１４（ｃ）にＦＭコード、図１４（ｄ）にウォブル波形を縦に並べて示している。
データの１bitは２ｃｈ（２チャンネルクロック）であり、ビット情報が「１」のとき、ＦＭコードはチャンネルクロックの１／２の周波数とされる。
またビット情報が「０」のとき、ＦＭコードはビット情報「１」の１／２の周波数であらわされる。
ウォブル波形としては、ＦＭコードを矩形波を直接記録することもあるが、図４（ｄ）に示すように正弦波状の波形で記録することもある。
【０１０４】
なお、ＦＭコード及びウォブル波形は図１４（ｃ）（ｄ）とは逆極性のパターンとして、図１４（ｅ）（ｆ）に示すパターンとしても良い。
【０１０５】
上記のようなＦＭコード変調のルールにおいて、図１４（ｇ）のようにデータビットストリームが「１０１１００１０」とされているときのＦＭコード波形、およびウォブル波形（正弦波状波形）は図１４（ｈ）（ｉ）に示すようになる。
なお、図１４（ｅ）（ｆ）に示すパターンに対応した場合は、図１４（ｊ）（ｋ）に示すようになる。
【０１０６】
図１５で出荷時情報のＥＣＣブロック構造を説明する。
出荷時情報のデータブロックは２セクターで構成される。このデータブロックは実際の出荷時情報（プリレコーデッドデータ）によるサブブロックと出荷時情報に係るコントロールデータ（プリレコーデッドコントロールデータ）によるサブブロックにより構成される。
【０１０７】
図１５に示すようにプリレコーデッドデータによるサブブロックは、４Ｋバイト、即ち２０４８バイト×２セクタの単位となる。
このデータ単位に対して、１セクタにつき４バイトのＥＤＣ（エラー検出コード）が付加され、２０５２バイト×２セクタの単位のデータフレームとされる。
さらにスクランブル処理されてスクランブルドデータフレームとされる。
そしてリードソロモン符号化されて、２１６行（row）×１９列（colum）のデータブロックが構成される。さらに３２行のパリティが付加されて、ＬＤＣ（Long Distance Code）サブブロックが構成される。ＬＤＣサブブロックは、ＲＳ（２４８，２１６，３３）×１９のブロックである。
そして、ＬＤＣサブブロックから、ＬＤＣクラスタ（２４８行×１９列）が構成される。
【０１０８】
プリレコーデッドによるサブブロックからＬＤＣサブブロックまでのエンコードの様子を図１６（ａ）（ｂ）に示している。
図１６（ａ）に示すユーザーデータ４ＫＢについては、図１６（ｂ）のようにＥＣＣエンコードされる。即ちプリレコーデッドデータは１セクタ２０４８Ｂについて４ＢのＥＤＣ(error detection code)を付加し、２セクタに対し、ＬＤＣを符号化する。ＬＤＣはＲＳ(248,216,33)、符号長２４８、データ２１６、ディスタンス３３のＲＳ(reed solomon)コードである。１９の符号語がある。
【０１０９】
一方、図１５に示すように、プリレコーデッドコントロールデータによるサブブロックは、各２４バイトの２ユニットの単位となる。また、アドレスユニットナンバとして各９バイトの８アドレスの単位となる。
この１２０バイトが符号化の単位となる。
即ち、この１２０バイトがリードソロモン符号化されて、３０行×４列のアクセスブロックとされる。
そして、これに３２行のパリティが付加されて、ＢＩＳ（burst indicating subcode）サブブロックが構成される。
ＢＩＳサブブロックは、ＲＳ（６２，３０，３３）×４のブロックである。そして、ＢＩＳサブブロックから、ＢＩＳクラスタ（２４８行×１列）が構成される。
【０１１０】
プリレコーデッドコントロールデータ及びアドレスユニットナンバとしての１２０バイトからＢＩＳサブブロックまでのエンコードの様子を図１６（ｃ）（ｄ）に示している。
即ちＢＩＳサブブロックは、図１６（ｃ）に示す１２０Ｂのデータに対して、図１６（ｄ）のようにＥＣＣエンコードされる。即ちＲＳ(62,30,33)、符号長６２、データ３０、ディスタンス３３のＲＳ(reed solomon)コードである。４の符号語がある。
【０１１１】
図１５に示すように、ＬＤＣクラスタおよびＢＩＳクラスタは、それぞれ２４８（行）のデータフレームから構成され、１フレームは、ＬＤＣクラスタが１９バイト、ＢＩＳクラスタが１バイトである。
従ってデータフレームとしての１フレームは、１９＋１＝２０バイトとされる。例えば図示するように、１バイトのＢＩＳが先頭に配置された後、１９バイトのＬＤＣが配置されて２０バイトのデータフレームが構成されることとなる。
この２０バイトのデータフレームの２４８行、つまり２４８フレームがＥＣＣブロックとなる。
【０１１２】
そして各データフレームに対してバイフェーズ変調が施され、その際フレームシンクが付加されて記録フレームが構成される。この場合、データフレームから変調されたデータは、データフレーム２０バイト（１６０ビット）の先頭に８ビットのフレームシンク（frame sync）が挿入され、バイフェーズ変調により３３６チャンネルビットの構造となる。
なお、バイフェーズ変調の場合、ＤＣ成分は無いため、ｄｃｃを付加する必要はない。
【０１１３】
このような記録フレームが、ディスクのＰＢゾーンにおけるウォブリンググルーブとして記録される出荷時情報のデータ構造となる。
図２で説明したように、出荷時情報としてのプリレコーデッド情報は、直径１２ｃｍディスクのＰＢゾーンとして、半径２２．３〜２３．１ｍｍのエリアに記録する。
このＰＢゾーンに上記フォーマットで出荷時情報のデータとしての１ブロックをディスク１周回を超えないように入れることを考えると、チャンネルビット 密度は １．７２μｍくらいまで緩められる。
すなわち データビット記録密度を ＲＬＬ（１，７）ＰＰ方式のユーザデータに比べて１／２８程度まで緩められ、信号のＳ／Ｎを稼ぐことができる。
【０１１４】
また、ＢＩＳはＬＤＣの符号より訂正能力が非常に優れた符号をもちいており、ほぼ、すべて訂正される。このため、エラーが検出されたＢＩＳのシンボルは次のように使うことができる。
ＥＣＣのデコードの際、ＢＩＳを先にデコードする。隣接したＢＩＳの２つがエラーの場合、両者のあいだにはさまれたデータ１９Ｂはバーストエラーとみなされる。このデータ１９Ｂにはそれぞれエラーポインタが付加される。ＬＤＣではこのエラーポインタをつかって、ポインターイレージャ訂正をおこなう。
これによりＬＤＣだけの訂正より、訂正能力をあげることができる。
【０１１５】
ＢＩＳにはアドレス情報等が含まれている。プリレコーデッドデータゾーンではプリレコーデッド情報がウォブリンググルーブによって記録され、従ってウォブリンググルーブによるアドレス情報は無いため、このＢＩＳにあるアドレスがアクセスのために使われる。
【０１１６】
なお、図１５（図１６），図４（図５）からわかるように、フェイズチェンジマークによるユーザデータと出荷時情報は、ＥＣＣフォーマットとしては、同一の符号が採用される。
これは、出荷時情報（プリレコーデッド情報）のＥＣＣデコード処理は、フェイズチェンジマークによるユーザデータ再生時のＥＣＣデコード処理を行う回路系で実行でき、ディスクドライブ装置としてはハードウエア構成の効率化を図ることができることを意味する。
【０１１７】
図１７にクラスタ単位でのフレーム構造を示している。
上記のように２０バイトのデータフレーム（３３６チャンネルビットの記録フレーム）は、２４８行、つまり２４８フレームでＥＣＣブロックが構成される。この２４８フレームの前後に、リンキングのためのランイン、ランアウトとしてのフレームが付加された、２５０フレームが１クラスタとなる。
【０１１８】
また、上述したようにアドレスユニットナンバとして８個のアドレスが付加されるが、ランイン、ランアウトを除いた２４８フレームの部分は、フレームナンバ０〜３０の３１フレームを単位として８個に分割され、８個のアドレス（アドレスユニットナンバ０〜７）がそれぞれに割り当てられる状態となる。
【０１１９】
なお、図１７は、ユーザーデータのクラスタ構造に合わせてリンキング用のフレームを付加した例である。ユーザーデータのクラスタ構造と合わせることで、ディスクドライブ装置のデコード処理系として回路構成上、都合が良い。
ただし、そのような点が問題にならなければ、ユーザーデータのクラスタ構造に合わせる必要はない。
即ち出荷時情報は再生専用の情報であって、書換は行われないものであるため、リンキング用のフレームは必要ないものである。
そこで図１８に示すように、リンキング用のフレームを設けず、２４８フレームを１クラスタとする例も考えられる。
【０１２０】
ここで、上記のＬＤＣサブブロックとＢＩＳサブブロックついて、インターリーブなどのデータ列変換を図１９〜図２６で説明する。
これらの図においては、ＬＤＣサブブロックの変換を図１９〜図２１に、ＢＩＳサブブロックの変換を図２２〜図２５に、ＬＤＣサブブロックとＢＩＳサブブロックのデータをディスク上に記録する際の変換を図２６に示している。
【０１２１】
図１９は、実際の出荷時情報のデータとしてのプリレコーデッドデータ「C(g,h)」をメモリ「D(i,j)」上に変換する様子を示している。
変換式は  ０≦ｇ＜２，０≦ｈ＜２０５２の範囲でユニット「ｇ」，プリレコーデッドデータ「ｈ」を用いて、
ｉ=(g×2052＋h)％216
ｊ=(g×2052＋h)／216
とあらわされる。なお、“／”は除算の商、 “％”除算の余り（modulo）を示す。
また、C(g,2048) 〜C(g,2051)は、C(g,0) 〜C(g,2047)に対するEDC（誤りチェックコード）である。
図１５に示した（２０５２×２）バイトのＥＤＣ付きプリレコーデッドデータは、上記変換式により、図１９に示すように、０≦ｉ≦２１５、０≦ｊ≦１８のメモリＤ（ｉ，ｊ）に展開される。図中に示す「０，０」〜「１，２０５１」がプリレコーデッドデータ「C(g,h)」を示している。
【０１２２】
図２０は、上記のようにメモリ上に展開されたプリレコーデッドデータについて、メモリD(i,j)上での符号として示している。ｉはコードナンバ、ｊはバイトとなる。
網掛け部分として示す、ｉ値としての２１６〜２４７の範囲は、付加される３２ｒｏｗのパリティとなる。
【０１２３】
図２１は、図２０のようなメモリD(i,j)上のデータをディスク上の位置b(s,t,u)に変換する様子を示している。ｓはＡＵＮ（アドレスユニットナンバ）、ｔはフレーム、ｕはバイトである。
変換式は  ０≦ｓ＜8，０≦ｔ＜３１，１≦ｕ＜２０の範囲でs,t,uを用いて、
ｉ=(s×31＋t)
ｊ=(s×31＋t＋u−1)％19
とあらわされる。
【０１２４】
次に図２２〜図２５で、出荷時情報のデータのための付加・制御情報としてのプリレコーデッドコントロールデータについての変換を示す。
図２２にＢＩＳサブブロックに入れる情報を示している。
上述のようにＢＩＳ情報は、アドレス情報とプリレコーデッドコントロールデータより構成される。
【０１２５】
ＢＩＳにおけるアドレスフィールドを図２２（ａ）に示す。アドレスとしては、１つのＥＣＣブロックの中に、８アドレスフィールド（＃０〜＃７）ある。
１つのアドレスフィールドは９byteより構成される。例えばアドレスフィールド＃０は、０-0〜０-8の９バイトで構成される。
各アドレスフィールドのＭＳＢ４ByteにはＡＵＮ(address unit number)というＥＣＣブロックアドレスを示すアドレス値が配される。
また各アドレスフィールドの５バイト目には、その下位３bit(３Lsbit)には、アドレスフィールドナンバが配される。
さらに各アドレスフィールドの下位４Byteには各アドレスフィールドに対するパリティが配される。
【０１２６】
一方、ＢＩＳにおけるプリレコーデッドコントロールデータは、図２２（ｂ）のように１ＥＣＣブロック内に２ユニット（＃０，＃１）ある。
プリレコーデッドコントロールデータの１ユニットは２４byteより構成される。例えばユニット＃０は、０-0〜０-23の２４バイトで構成される。
このプリレコーデッドコントロールデータは将来のシステムに使われるようにリザーブしてある。
【０１２７】
図２３は、ＢＩＳサブブロックにおけるアドレス情報I(s,v)とプリレコーデッドコントロールデータU(g,h)をメモリB(i,j)上に変換する様子を示している。
アドレス情報I(s,v)として、ｓはＡＵＮ（＃０〜＃７）、ｖはアドレスデータ（バイト（０〜８））である。
プリレコーデッドコントロールデータU(g,h)について、ｇはユニット（＃０，＃１）、ｈはデータ（バイト（０〜２３））である。
【０１２８】
変換式は、０≦ｓ＜８，０≦ｖ＜９  の範囲でｓ，ｖを用いて、
ｉ=((s×31＋v)％31)×2 ＋((s×31＋v)／124)
=(v％31)×2＋(s／4)
ｊ= (s×31＋v)％4
であり、メモリ上に０≦ｉ≦１７の１８ｒｏｗの範囲にアドレス情報がインターリーブされて展開される。
【０１２９】
また、０≦ｇ＜２，０≦ｈ＜２４の範囲でユニット「ｇ」，プリレコーデッドコントロールデータ「ｈ」を用いて、
ｉ=(g×24＋h)％12＋18
ｊ=(g×24＋h)／12
とあらわされ、メモリ上に１８≦ｉ≦２９の１２ｒｏｗの範囲にプリレコーデッドコントロールデータが展開される。
【０１３０】
図２４は、上記のようにメモリ上に展開されたアドレス情報及びプリレコーデッドコントロールデータについて、メモリＢ(i,j)上での符号として示している。ｉはコードナンバ、ｊはバイトとなる。
網掛け部分として示す、ｉ値としての３０〜６１の範囲は、付加される３２ｒｏｗのパリティとなる。
【０１３１】
図２５は、図２４のようなメモリＢ(i,j)上のデータをディスク上の位置b(s,t,u)に変換する様子を示している。ｓはＡＵＮ（アドレスユニットナンバ）、ｔはフレーム、ｕはバイトである。
変換式は  ０≦ｓ＜8，０≦ｔ＜３１，ｕ＝０の範囲でs,t,uを用いて、
ｉ=((s×31＋t)％31)×2＋((s×31＋t)／124)
=(t％31)×2＋(s／4)
ｊ=(s×31＋t)％4
とあらわされる。
【０１３２】
上記ＬＤＣサブブロックについて変換された図２１と、ＢＩＳサブブロックについて変換された図２５についてのデータb(s,t,u)が、図２６のように一緒にフレームを構成し、ディスク上に記録されることになる。
なお、出荷時情報についてのデータ変換について述べたが、これらの変換規則はユーザーデータについての同様に適用される。
【０１３３】
ところで、上記例では出荷時情報についてプリレコーデッドデータの４ＫＢを単位としてＥＣＣブロックを構成する例を述べたが、例えば８ＫＢを単位としてＥＣＣブロックを構成する例も考えられる。
図２７により、プリレコーデッドデータの８ＫＢを単位とするＥＣＣブロック構造を説明する。
【０１３４】
この場合、出荷時情報のデータブロックは４セクターで構成される。
従ってプリレコーデッドデータによるサブブロックは、８Ｋバイト、即ち２０４８バイト×４セクタの単位となる。
このデータ単位に対して、１セクタにつき４バイトのＥＤＣ（エラー検出コード）が付加され、２０５２バイト×４セクタの単位のデータフレームとされる。
さらにスクランブル処理されてスクランブルドデータフレームとされる。
そしてリードソロモン符号化されて、２１６行（row）×３８列（colum）のデータブロックが構成される。さらに３２行のパリティが付加されて、ＬＤＣ（Long Distance Code）サブブロックが構成される。ＬＤＣサブブロックは、ＲＳ（２４８，２１６，３３）×３８のブロックである。符号語は３８である。
そして、ＬＤＣサブブロックから、ＬＤＣクラスタ（４９６行×１９列）が構成される。
【０１３５】
一方、プリレコーデッドコントロールデータによるサブブロックは、各２４バイトの４ユニットの単位となる。また、アドレスユニットナンバとして各９バイトの１６アドレスの単位となる。
この２４０バイトが符号化の単位となる。
即ち、この２４０バイトがリードソロモン符号化されて、３０行×８列のアクセスブロックとされる。
そして、これに３２行のパリティが付加されて、ＢＩＳ（burst indicating subcode）サブブロックが構成される。符号語は８となる。
ＢＩＳサブブロックは、ＲＳ（６２，３０，３３）×８のブロックである。そして、ＢＩＳサブブロックから、ＢＩＳクラスタ（４９６行×１列）が構成される。
【０１３６】
ＬＤＣクラスタおよびＢＩＳクラスタは、それぞれ４９８（行）のデータフレームから構成され、１フレームは、ＬＤＣクラスタが１９バイト、ＢＩＳクラスタが１バイトである。
従ってデータフレームとしての１フレームは、１９＋１＝２０バイトとされる。例えば図示するように、１バイトのＢＩＳが先頭に配置された後、１９バイトのＬＤＣが配置されて２０バイトのデータフレームが構成されることとなる。
この２０バイトのデータフレームの４９６行、つまり４９６フレームがＥＣＣブロックとなる。
【０１３７】
そして各データフレームに対してバイフェーズ変調が施され、その際フレームシンクが付加されて記録フレームが構成される。この場合、データフレームから変調されたデータは、データフレーム２０バイト（１６０ビット）の先頭に８ビットのフレームシンク（frame sync）が挿入され、バイフェーズ変調により３３６チャンネルビットの構造となる。
なお、バイフェーズ変調の場合、ＤＣ成分は無いため、ｄｃｃを付加する必要はない。
【０１３８】
このような記録フレームが、ディスクのＰＢゾーンにおけるウォブリンググルーブとして記録される出荷時情報のデータ構造となる。
図２で説明したように、出荷時情報としてのプリレコーデッド情報は、直径１２ｃｍディスクのＰＢゾーンとして、半径２２．３〜２３．１ｍｍのエリアに記録する。
このＰＢゾーンに上記フォーマットで出荷時情報のデータとしての１ブロックをディスク１周回を超えないように入れることを考えると、チャンネルビット 密度は ０．８６μｍくらいまで緩められる。
すなわち データビット記録密度を ＲＬＬ（１，７）ＰＰ方式のユーザデータに比べて１／１４程度まで緩められ、信号のＳ／Ｎを稼ぐことができる。
そしてこの場合も、出荷時情報は、フェイズチェンジマークによるユーザデータと出荷時情報は、ＥＣＣフォーマットとしては、同一の符号が採用される。
【０１３９】
図２８にクラスタ単位でのフレーム構造を示している。
上記のように２０バイトのデータフレーム（３３６チャンネルビットの記録フレーム）は、４９６行、つまり４９６フレームでＥＣＣブロックが構成される。この４９６フレームの前後に、リンキングのためのランイン、ランアウトとしてのフレームが付加された、４９８フレームが１クラスタとなる。
【０１４０】
また、上述したようにアドレスユニットナンバとして１６個のアドレスが付加されるが、ランイン、ランアウトを除いた４９６フレームの部分は、フレームナンバ０〜３０の３１フレームを単位として１６個に分割され、１６個のアドレス（アドレスユニットナンバ０〜１５）がそれぞれに割り当てられる状態となる。
【０１４１】
なお、図２８は、ユーザーデータのクラスタ構造に合わせてリンキング用のフレームを付加した例である。ユーザーデータのクラスタ構造と合わせることで、ディスクドライブ装置のデコード処理系として回路構成上、都合が良い。
ただしこの場合も、必ずしもユーザーデータのクラスタ構造に合わせる必要はない。即ち出荷時情報は再生専用の情報であって、書換は行われないものであるため、リンキング用のフレームは必要ない。
そこで図２９に示すように、リンキング用のフレームを設けず、４９６フレームを１クラスタとする例も考えられる。
【０１４２】
以上のような出荷時情報の４ＫＢ単位若しくは８ＫＢ単位でのＥＣＣブロック構成の例におけるフレームシンクについて図３０，図３１に示す。
図３０に示すように、フレームシンクＦＳとしては７種類のフレームシンクＦＳ０〜ＦＳ６がある。各フレームシンクＦＳ０〜ＦＳ６はＦＭコード変調のアウトオブルールとしてのパターンを用いた、シンクボディ「１１００１００１」の８チャンネルビットと、７種類のフレームシンクＦＳ０〜ＦＳ６のそれぞれについてのシンクＩＤの８チャンネルビットの合計１６チャンネルビットより構成される。
【０１４３】
シンクＩＤはデータビットであらわすと、たとえば、フレームシンクＦＳ０は「０００」の３bitとパリティ１bit（ここでは０）よりあらわされ、これがＦＭコード変調され「１０１０１０１０」となる。
他のシンクＩＤも同様に、３bitのデータビットとパリティ１bitによりあらわされ、ＦＭコード変調される。
これによりビットデータの符号距離は２以上となり、１ビット誤りがあってもほかのシンクＩＤと判断されることはない。
フレームシンクＦＳは記録の際に、NRZI変換されて記録される。
【０１４４】
図３１にフレームシンクのマッピングを示す。
上述したように４ＫＢ単位の場合、１ＥＣＣブロックの２４８フレームは、８つの３１フレームづつのアドレスフレームに分割される。
また８ＫＢ単位の場合、１ＥＣＣブロックの４９６フレームは、１６個の３１フレームづつのアドレスフレームに分割される。
即ちいずれにしても３１フレームを単位として分割される。
【０１４５】
各フレームとも、０から３０のフレームナンバをもつ。フレームナンバ「０」には、他のフレームシンクには使われない特別のフレームシンクとしてＦＳ０を用いる。このフレームシンクＦＳ０により、アドレスフレームの先頭を見い出すことができ、アドレス同期を行うことができる。
フレームナンバ「１」から「３０」には、図３１に示す順番でフレームシンク（ＦＳ１〜ＦＳ６）を配置する。このフレームシンクの並ぶ順番により、先頭のフレームシンクＦＳ０が特定できなくとも、アドレスフレームの先頭を特定することもできる。
【０１４６】
６．ディスクドライブ装置
次に、上記のようなディスクに対応して記録／再生を行うことのできるディスクドライブ装置を説明していく。
図３２はディスクドライブ装置の構成を示す。
図３２において、ディスク１００は上述した本例のディスクである。
【０１４７】
ディスク１００は、図示しないターンテーブルに積載され、記録／再生動作時においてスピンドルモータ２によって一定線速度（ＣＬＶ）で回転駆動される。
そして光学ピックアップ１によってディスク１００上のＲＷゾーンにおけるグルーブトラックのウォブリングとして埋め込まれたＡＤＩＰ情報の読み出しがおこなわれる。またＰＢゾーンにおけるグルーブトラックのウォブリングとして埋め込まれたプリレコーデッド情報の読み出しがおこなわれる。
また記録時には光学ピックアップによってＲＷゾーンにおけるトラックにユーザーデータがフェイズチェンジマークとして記録され、再生時には光学ピックアップによって記録されたフェイズチェンジマークの読出が行われる。
【０１４８】
ピックアップ１内には、レーザ光源となるレーザダイオードや、反射光を検出するためのフォトディテクタ、レーザ光の出力端となる対物レンズ、レーザ光を対物レンズを介してディスク記録面に照射し、またその反射光をフォトディテクタに導く光学系（図示せず）が形成される。
レーザダイオードは、波長４０５ｎｍのいわゆる青色レーザを出力する。また光学系によるＮＡは０．８５である。
【０１４９】
ピックアップ１内において対物レンズは二軸機構によってトラッキング方向及びフォーカス方向に移動可能に保持されている。
またピックアップ１全体はスレッド機構３によりディスク半径方向に移動可能とされている。
またピックアップ１におけるレーザダイオードはレーザドライバ１３からのドライブ信号（ドライブ電流）によってレーザ発光駆動される。
【０１５０】
ディスク１００からの反射光情報はフォトディテクタによって検出され、受光光量に応じた電気信号とされてマトリクス回路４に供給される。
マトリクス回路４には、フォトディテクタとしての複数の受光素子からの出力電流に対応して電流電圧変換回路、マトリクス演算／増幅回路等を備え、マトリクス演算処理により必要な信号を生成する。
例えば再生データに相当する高周波信号（再生データ信号）、サーボ制御のためのフォーカスエラー信号、トラッキングエラー信号などを生成する。
さらに、グルーブのウォブリングに係る信号、即ちウォブリングを検出する信号としてプッシュプル信号を生成する。
【０１５１】
マトリクス回路４から出力される再生データ信号はリーダ／ライタ回路５へ、フォーカスエラー信号及びトラッキングエラー信号はサーボ回路１１へ、プッシュプル信号はウォブル回路８へ、それぞれ供給される。
【０１５２】
リーダ／ライタ回路５は、再生データ信号に対して２値化処理、ＰＬＬによる再生クロック生成処理等を行い、フェイズチェンジマークとして読み出されたデータを再生して、変復調回路６に供給する。
変復調回路６は、再生時のデコーダとしての機能部位と、記録時のエンコーダとしての機能部位を備える。
再生時にはデコード処理として、再生クロックに基づいてランレングスリミテッドコードの復調処理を行う。
またＥＣＣエンコーダ／デコーダ７は、記録時にエラー訂正コードを付加するＥＣＣエンコード処理と、再生時にエラー訂正を行うＥＣＣデコード処理を行う。
再生時には、変復調回路６で復調されたデータを内部メモリに取り込んで、エラー検出／訂正処理及びデインターリーブ等の処理を行い、再生データを得る。
ＥＣＣエンコーダ／デコーダ７で再生データにまでデコードされたデータは、システムコントローラ１０の指示に基づいて、読み出され、ＡＶ（Audio-Visual）システム２０に転送される。
【０１５３】
グルーブのウォブリングに係る信号としてマトリクス回路４から出力されるプッシュプル信号は、ウォブル回路８において処理される。ＡＤＩＰ情報としてのプッシュプル信号は、ウォブル回路８においてＭＳＫ復調され、ＡＤＩＰアドレスを構成するデータストリームに復調されてアドレスデコーダ９に供給される。
アドレスデコーダ９は、供給されるデータについてのデコードを行い、アドレス値を得て、システムコントローラ１０に供給する。
またウォブル回路８ではプッシュプル信号として得られるウォブル信号に用いたＰＬＬ処理でクロックを生成し、例えば記録時のエンコードクロックとして各部に供給する。
【０１５４】
また、グルーブのウォブリングに係る信号としてマトリクス回路４から出力されるプッシュプル信号として、ＰＢゾーンからのプリレコーデッド情報としてのプッシュプル信号は、ウォブル回路８においてバンドパスフィルタ処理、ＦＭコード復調処理が行われてリーダ／ライタ回路５に供給される。そしてＦＭコードストリームとして波形整形された後、ＥＣＣエンコーダ／デコーダ７でＥＣＣデコード、デインターリーブされて、プリレコーデッド情報としてのデータが抽出される。抽出された出荷時情報（プリレコーデッド情報）はシステムコントローラ１０に供給される。
システムコントローラ１０は、読み出されたプリレコーデッド情報に基づいて、各種設定処理やコピープロテクト処理等を行うことができる。
また、システムコントローラ１０はウォブル回路８に対して制御信号ＣＴにより、ＡＤＩＰ情報の復調と出荷時情報の復調について処理の切換を指示する。
【０１５５】
図３３はウォブル回路８の構成例を示している。
マトリクス回路４からのプッシュプル信号Ｐ／Ｐは、バンドパスフィルタ６１を介してＰＬＬ部６４に供給される。ＰＬＬ部６４は、例えばバンドパスフィルタ６１で抽出されるウォブリングのキャリア成分について２値化した後、ＰＬＬ処理を行って、上記ウォブルに基づくクロックＣＬＫを再生する。
ただし図３で説明したように、ＲＷゾーンのウォブリング周期は６９Ｔで、ＰＢゾーンのウォブリング周期は３６Ｔである。つまり、ＲＷゾーンとＰＢゾーンではウォブリングのキャリア周波数は異なる。
このためシステムコントローラ１０は、制御信号ＣＴによりＲＷゾーンの記録再生時と、ＰＢゾーンの再生時とで、バンドパスフィルタ６１の通過帯域を切り換えるようにしている。
これにより、ＰＬＬ部６４で生成されるクロックＣＬＫとしては、ＲＷゾーン記録再生時には周期６９Ｔのウォブルに対応した周波数となり、ＰＢゾーン再生時には周期３６Ｔのウォブルに対応した周波数となる。
【０１５６】
またプッシュプル信号Ｐ／Ｐは、バンドパスフィルタ６１でキャリア周波数及びその１．５倍の周波数成分が抽出された後、ＭＳＫ復調部６５に供給される。ＭＳＫ復調部６５は、例えばＭＳＫ変調波とキャリア成分の乗算やフィルタリング等を行うことでＭＳＫ復調を行い、ＡＤＩＰアドレスとしての復調データを得る。上述したように、その復調データはアドレスデコーダ９に供給されて、ＡＤＩＰアドレス値としてデコードされる。なお、ＭＳＫ復調は、周期６９Ｔのウォブルに対応した周波数とされているクロックＣＬＫに基づいて行われる。
【０１５７】
またプッシュプル信号Ｐ／Ｐは、バンドパスフィルタ６１でバイフェーズ変調（ＦＭ変調）信号成分が抽出され、ＦＭコード復調部６６で復調される。復調された信号は、リーダ／ライタ回路５に供給される。なお、ＦＭコード復調は、周期３６Ｔのウォブルに対応した周波数とされているクロックＣＬＫに基づいて行われる。
【０１５８】
システムコントローラ１０はこのようなウォブル回路８に対して上記のように制御信号ＣＴを供給する事で、クロックＣＬＫの周波数を切換制御している。即ちディスク１００のＰＢゾーンの再生時には、ＦＭコード復調部６６で復調を実行させ、これによって出荷時情報の読込を行なわせるものとなる。
一方、ＲＷゾーンの再生時にはＭＳＫ復調部６５の動作を実行させ、ＡＤＩＰアドレスの読込を実行させる。
【０１５９】
図３２のディスクドライブ装置において、記録時には、ＡＶシステム２０から記録データが転送されてくるが、その記録データはＥＣＣエンコーダ／デコーダ７におけるメモリに送られてバッファリングされる。
この場合ＥＣＣエンコーダ／デコーダ７は、バファリングされた記録データのエンコード処理として、エラー訂正コード付加やインターリーブ、サブコード等の付加を行う。即ち図４で説明したＥＣＣブロックへのエンコードを行う。
またＥＣＣエンコードされたデータは、変復調回路６においてＲＬＬ（１−７）ＰＰ方式の変調が施され、リーダ／ライタ回路５に供給される。
記録時においてこれらのエンコード処理のための基準クロックとなるエンコードクロックは上述したようにウォブル信号から生成したクロックを用いる。
【０１６０】
エンコード処理により生成された記録データは、リーダ／ライタ回路５で記録補償処理として、記録層の特性、レーザー光のスポット形状、記録線速度等に対する最適記録パワーの微調整やレーザドライブパルス波形の調整などが行われた後、レーザドライブパルスとしてレーザードライバ１３に送られる。
レーザドライバ１３では供給されたレーザドライブパルスをピックアップ１内のレーザダイオードに与え、レーザ発光駆動を行う。これによりディスク１００に記録データに応じたピット（フェイズチェンジマーク）が形成されることになる。
【０１６１】
なお、レーザドライバ１３は、いわゆるＡＰＣ回路（Auto Power Control）を備え、ピックアップ１内に設けられたレーザパワーのモニタ用ディテクタの出力によりレーザ出力パワーをモニターしながらレーザーの出力が温度などによらず一定になるように制御する。記録時及び再生時のレーザー出力の目標値はシステムコントローラ１０から与えられ、記録時及び再生時にはそれぞれレーザ出力レベルが、その目標値になるように制御する。
【０１６２】
サーボ回路１１は、マトリクス回路４からのフォーカスエラー信号、トラッキングエラー信号から、フォーカス、トラッキング、スレッドの各種サーボドライブ信号を生成しサーボ動作を実行させる。
即ちフォーカスエラー信号、トラッキングエラー信号に応じてフォーカスドライブ信号、トラッキングドライブ信号を生成し、ピックアップ１内の二軸機構のフォーカスコイル、トラッキングコイルを駆動することになる。これによってピックアップ１、マトリクス回路４、サーボ回路１１、二軸機構によるトラッキングサーボループ及びフォーカスサーボループが形成される。
【０１６３】
またサーボ回路１１は、システムコントローラ１０からのトラックジャンプ指令に応じて、トラッキングサーボループをオフとし、ジャンプドライブ信号を出力することで、トラックジャンプ動作を実行させる。
【０１６４】
またサーボ回路１１は、トラッキングエラー信号の低域成分として得られるスレッドエラー信号や、システムコントローラ１０からのアクセス実行制御などに基づいてスレッドドライブ信号を生成し、スレッド機構３を駆動する。スレッド機構３には、図示しないが、ピックアップ１を保持するメインシャフト、スレッドモータ、伝達ギア等による機構を有し、スレッドドライブ信号に応じてスレッドモータを駆動することで、ピックアップ１の所要のスライド移動が行なわれる。
【０１６５】
スピンドルサーボ回路１２はスピンドルモータ２をＣＬＶ回転させる制御を行う。
スピンドルサーボ回路１２は、ウォブル信号に対するＰＬＬ処理で生成されるクロックを、現在のスピンドルモータ２の回転速度情報として得、これを所定のＣＬＶ基準速度情報と比較することで、スピンドルエラー信号を生成する。
またデータ再生時においては、リーダ／ライタ回路５内のＰＬＬによって生成される再生クロック（デコード処理の基準となるクロック）が、現在のスピンドルモータ２の回転速度情報となるため、これを所定のＣＬＶ基準速度情報と比較することでスピンドルエラー信号を生成することもできる。
そしてスピンドルサーボ回路１２は、スピンドルエラー信号に応じて生成したスピンドルドライブ信号を出力し、スピンドルモータ２のＣＬＶ回転を実行させる。
またスピンドルサーボ回路１２は、システムコントローラ１０からのスピンドルキック／ブレーキ制御信号に応じてスピンドルドライブ信号を発生させ、スピンドルモータ２の起動、停止、加速、減速などの動作も実行させる。
【０１６６】
以上のようなサーボ系及び記録再生系の各種動作はマイクロコンピュータによって形成されたシステムコントローラ１０により制御される。
システムコントローラ１０は、ＡＶシステム２０からのコマンドに応じて各種処理を実行する。
【０１６７】
例えばＡＶシステム２０から書込命令（ライトコマンド）が出されると、システムコントローラ１０は、まず書き込むべきアドレスにピックアップ１を移動させる。そしてＥＣＣエンコーダ／デコーダ７、変復調回路６により、ＡＶシステム２０から転送されてきたデータ（例えばＭＰＥＧ２などの各種方式のビデオデータや、オーディオデータ等）について上述したようにエンコード処理を実行させる。そして上記のようにリーダ／ライタ回路５からのレーザドライブパルスがレーザドライバ１３に供給されることで、記録が実行される。
【０１６８】
また例えばＡＶシステム２０から、ディスク１００に記録されている或るデータ（ＭＰＥＧ２ビデオデータ等）の転送を求めるリードコマンドが供給された場合は、まず指示されたアドレスを目的としてシーク動作制御を行う。即ちサーボ回路１１に指令を出し、シークコマンドにより指定されたアドレスをターゲットとするピックアップ１のアクセス動作を実行させる。
その後、その指示されたデータ区間のデータをＡＶシステム２０に転送するために必要な動作制御を行う。即ちディスク１００からのデータ読出を行い、リーダ／ライタ回路５、変復調回路６、ＥＣＣエンコーダ／デコーダ７におけるデコード／バファリング等を実行させ、要求されたデータを転送する。
【０１６９】
なお、これらのフェイズチェンジマークによるデータの記録再生時には、システムコントローラ１０は、ウォブル回路８及びアドレスデコーダ９によって検出されるＡＤＩＰアドレスを用いてアクセスや記録再生動作の制御を行う。
また、システムコントローラ１０は、このときＥＣＣエンコーダ／デコーダ７に対して、上記図４で説明した構造のＥＣＣブロックに対するエラー訂正デコードを指示することになる。
【０１７０】
また、ディスク１００が装填された際など所定の時点で、システムコントローラ１０は、ディスク１００のＰＢゾーンにウォブリンググルーブとして記録されている出荷時情報（プリレコーデッド情報）の読出を実行させる。
その場合、まずＰＢゾーンを目的としてシーク動作制御を行う。即ちサーボ回路１１に指令を出し、ディスク最内周側へのピックアップ１のアクセス動作を実行させる。
その後、ピックアップ１による再生トレースを実行させ、反射光情報としてのプッシュプル信号を得、ウォブル回路８、リーダ／ライタ回路５、ＥＣＣエンコーダ／デコーダ７によるデコード処理を実行させ、プリレコーデッド情報としての再生データを得る。
なお、システムコントローラ１０は、このときＥＣＣエンコーダ／デコーダ７に対して、上記図１５（又は図２７）で説明した構造のＥＣＣブロックに対するエラー訂正デコードを指示することになる。
システムコントローラ１０はこのようにして読み出されたプリレコーデッド情報に基づいて、レーザパワー設定やコピープロテクト処理等を行う。
【０１７１】
なお、ＰＢゾーンのプリレコーデッド情報の再生時には、システムコントローラ１０は、読み出されたプリレコーデッド情報としてのＢＩＳクラスタに含まれるアドレス情報を用いて、アクセスや再生動作の制御を行う。
【０１７２】
ところで、この図２２の例は、ＡＶシステム２０に接続されるディスクドライブ装置３０としたが、本発明のディスクドライブ装置としては例えばパーソナルコンピュータ等と接続されるものとしてもよい。
さらには他の機器に接続されない形態もあり得る。その場合は、操作部や表示部が設けられたり、データ入出力のインターフェース部位の構成が、図２２とは異なるものとなる。つまり、ユーザーの操作に応じて記録や再生が行われるとともに、各種データの入出力のための端子部が形成されればよい。
もちろん構成例としては他にも多様に考えられ、例えば記録専用装置、再生専用装置としての例も考えられる。
【０１７３】
７．ディスク製造方法
続いて、上述した本例のディスクを製造方法を説明する。
ディスクの製造プロセスは、大別すると、いわゆる原盤工程（マスタリングプロセス）と、ディスク化工程（レプリケーションプロセス）に分けられる。原盤工程はディスク化工程で用いる金属原盤（スタンパー）を完成するまでのプロセスであり、ディスク化工程はスタンパーを用いて、その複製である光ディスクを大量生産するプロセスである。
【０１７４】
具体的には、原盤工程は、研磨した硝子基板にフォトレジストを塗布し、この感光膜にレーザビームによる露光によってピットやグルーブを形成する、いわゆるカッティングを行なう。
本例の場合、ディスクの最内周側のＰＢゾーンに相当する部分でプリレコーデッド情報に基づいたウォブリングによるグルーブのカッティングが行われ、またＲＷゾーンに相当する部分で、ＡＤＩＰアドレスに基づいたウォブリングによるグルーブのカッティングが行われる。
【０１７５】
記録するプリレコーデッド情報はプリマスタリングと呼ばれる準備工程で用意される。
そしてカッティングが終了すると、現像等の所定の処理を行なった後、例えば電鋳によって金属表面上への情報の転送を行ない、ディスクの複製を行なう際に必要なスタンパーを作成する。
次に、このスタンパーを用いて例えばインジェクション法等によって、樹脂基板上に情報を転写し、その上に反射膜を生成した後、必要なディスク形態に加工する等の処理を行なって、最終製品を完成する。
【０１７６】
カッティング装置は、例えば図３３に示すように、プリレコーデッド情報発生部７１，アドレス発生部７２、切換部７３、カッティング部７４、コントローラ７０を備える。
プリレコーデッド情報発生部７１は、プリマスタリング工程で用意されたプリレコーデッド情報を出力する。
アドレス発生部７２は、絶対アドレスとしての値を順次出力する。
【０１７７】
カッティング部７４は、フォトレジストされた硝子基板１０１にレーザービームを照射してカッティングを行なう光学部（８２，８３，８４）と、硝子基板１０１を回転駆動及びスライド移送する基板回転／移送部８５と、入力データを記録データに変換して光学部に供給する信号処理部８１と、基板回転／移送部８５の位置から、カッティング位置がＰＢゾーンとＲＷゾーンのいずれであるかを判別できるようにしたセンサ８６を有する。
【０１７８】
上記光学部としては、例えばＨｅ−Ｃｄレーザからなるレーザ光源８２と、このレーザ光源８２からの出射光を記録データに基づいて変調する変調部８３と、変調部８３からの変調ビームを集光して硝子基板１０１のフォトレジスト面に照射するカッティングヘッド部８４が設けられている。
変調部８３としてはレーザ光源８２からの出射光をオン／オフする音響光学型の光変調器（ＡＯＭ）と、さらにレーザ光源８２からの出射光をウォブル生成信号に基づいて偏向する音響光学型の光偏向器（ＡＯＤ）が設けられる。
【０１７９】
また、基板回転／移送部８５は、硝子基板１０１を回転駆動する回転モータと、回転モータの回転速度を検出する検出部（ＦＧ）と、硝子基板１０１をその半径方向にスライドさせるためのスライドモータと、回転モータ、スライドモータの回転速度や、カッティングヘッド部８４のトラッキング等を制御するサーボコントローラなどを有して構成される。
【０１８０】
信号処理部８１は、例えば切換部７３を介して供給されるプリレコーデッド情報やアドレス情報に対して、例えばエラー訂正符号等を付加して入力データを形成するフォーマティング処理や、フォーマティング処理データに所定の演算処理を施して変調信号を形成する変調信号生成処理を行う。
そして変調信号に基づいて変調部８３の光変調器及び光偏向器を駆動する駆動処理も行う。
【０１８１】
カッティング部７４では、カッティングの際、基板回転／移送部８５が硝子基板１０１を一定線速度で回転駆動するとともに、硝子基板７１を回転させたまま、所定のトラックピッチでらせん状のトラックが形成されていくようにスライドさせる。
同時に、レーザ光源８２からの出射光は変調部８３を介して、信号処理部８１からの変調信号に基づく変調ビームとされてカッティングヘッド部８４から硝子基板７１のフォトレジスト面に照射されていき、その結果、フォトレジストがデータやグルーブに基づいて感光される。
【０１８２】
コントローラ７０は、このようなカッティング部７４のカッティング時の動作を実行制御するとともに、センサ８６からの信号を監視しながらプリレコーデッド情報発生部７１、アドレス発生部７２、切換部７３を制御する。
コントローラ７０は、カッティング開始時には、カッティング部７４に対してカッティングヘッド部８４が最内周側からレーザ照射を開始するように、基板回転／移送部８５のスライド位置を初期位置とさせる。そして硝子基板１０１のＣＬＶ回転駆動と、トラックピッチ０．３５μｍのグルーブを形成するためのスライド移送を開始させる。
この状態で、プリレコーデッド情報発生部７１から出荷時情報としてのプリレコーデッド情報を出力させ、切換部７３を介して信号処理部８１に供給させる。また、レーザ光源８２からのレーザ出力を開始させ、変調部８３は信号処理部８１からの変調信号、即ちプリレコーデッド情報のＦＭコード変調信号に基づいてレーザ光を変調させ、硝子基板１０１へのグルーブカッティングを実行させる。
これにより、ＰＢゾーンに相当する領域に、上述した図３（ｂ）のようなグルーブのカッティングが行われていく。
【０１８３】
その後、コントローラ７０はセンサ８６の信号から、カッティング動作がＰＢゾーンに相当する位置まで進んだことを検出したら、切換部７３をアドレス発生部７２側に切り換えると共に、アドレス発生部７２からアドレス値を順次発生させるように指示する。
また基板回転／移送部８５には、トラックピッチ０．３２μｍのグルーブを形成するようにスライド移送速度を低下させる。
【０１８４】
これによりアドレス発生部７２からアドレス情報が切換部７３を介して信号処理部８１に供給される。そして、レーザ光源８２からのレーザ光は変調部８３において信号処理部８１からの変調信号、即ちアドレス情報のＭＳＫ変調信号に基づいて変調され、その変調レーザ光により硝子基板１０１へのグルーブカッティングが実行される。
これにより、ＲＷゾーンに相当する領域に、上述した図３（ａ）のようなグルーブのカッティングが行われていく。
コントローラ７０はセンサ８６の信号から、当該カッティング動作がリードアウトゾーンの終端に達したことを検出したら、カッティング動作を終了させる。
【０１８５】
このような動作により、硝子基板１０１上にＰＢゾーン及びＲＷゾーンとしてのウォブリンググルーブに対応する露光部が形成されていく。
その後、現像、電鋳等を行ないスタンパーが生成され、スタンパーを用いて上述のディスクが生産される。
【０１８６】
８．変形例
以上、実施の形態のディスク及びそれに対応するディスクドライブ装置、ディスク製造方法について説明してきたが、本発明はこれらの例に限定されるものではなく、要旨の範囲内で各種変形例が考えられるものである。
【０１８７】
上記例ではユーザーデータがフェーズチェンジマークとして記録されるものを示したが、ユーザーデータの記録方式は、書換可能又は追記可能な方式であればよい。例えば光磁気記録方式、色素変化方式などの記録方式に対応するディスク、やディスクドライブ装置であっても本発明を適用できる。
【０１８８】
また、出荷時情報についてはバイフェーズ変調を用いた例としたが、出荷時情報をユーザーデータと同じ変調方式としても良い。例えば上記例に準じて言えば、ユーザーデータはＲＬＬ（１，７）ＰＰ方式であるため、出荷時情報もＲＬＬ（１，７）ＰＰ方式で変調することも考えられる。
【符号の説明】
【０１８９】
１  ピックアップ、２  スピンドルモータ、３  スレッド機構、４  マトリクス回路、５  リーダ／ライタ回路、６  変復調回路、７  ＥＣＣエンコーダ／デコーダ、８  ウォブル回路、９  アドレスデコーダ、１０  システムコントローラ、１１  サーボ回路、１２  スピンドルサーボ回路、１３  レーザドライバ、２０  ＡＶシステム、７０  コントローラ、７１  プリレコーデッド情報発生部、７２  アドレス発生部、７３  切換部、７４  カッティング部、１００  ディスク
【図１】
2011023109.tif 000003
【図２】
2011023109.tif 000004
【図３】
2011023109.tif 000005
【図４】
2011023109.tif 000006
【図５】
2011023109.tif 000007
【図６】
2011023109.tif 000008
【図７】
2011023109.tif 000009
【図８】
2011023109.tif 000010
【図９】
2011023109.tif 000011
【図１０】
2011023109.tif 000012
【図１１】
2011023109.tif 000013
【図１２】
2011023109.tif 000014
【図１３】
2011023109.tif 000015
【図１４】
2011023109.tif 000016
【図１５】
2011023109.tif 000017
【図１６】
2011023109.tif 000018
【図１７】
2011023109.tif 000019
【図１８】
2011023109.tif 000020
【図１９】
2011023109.tif 000021
【図２０】
2011023109.tif 000022
【図２１】
2011023109.tif 000023
【図２２】
2011023109.tif 000024
【図２３】
2011023109.tif 000025
【図２４】
2011023109.tif 000026
【図２５】
2011023109.tif 000027
【図２６】
2011023109.tif 000028
【図２７】
2011023109.tif 000029
【図２８】
2011023109.tif 000030
【図２９】
2011023109.tif 000031
【図３０】
2011023109.tif 000032
【図３１】
2011023109.tif 000033
【図３２】
2011023109.tif 000034
【図３３】
2011023109.tif 000035
【図３４】
2011023109.tif 000036
【手続補正書】
【提出日】平成22年10月27日(2010.10.27)
【手続補正１】
【補正対象書類名】特許請求の範囲
【補正対象項目名】全文
【補正方法】変更
【補正の内容】
【特許請求の範囲】
【請求項１】
書換可能又は追記可能な記録方式によるユーザーデータの記録再生及びグルーブのウォブリングにより記録されているプリアドレス情報の再生が可能とされる記録再生領域と、
グルーブのウォブリングにより記録されているプリレコーデッド情報の再生が可能とされる再生専用領域と
を備え、
上記ユーザーデータは、第１の変調方式を用いて記録されるとともに、第１のエラー訂正ブロック構造を有し、
上記ユーザーデータは、４９６フレームの前後に、リンキングのためのランイン、ランアウトとしてのフレームが追加された、４９８フレームを記録単位とし、
上記４９６フレームは、フレームナンバー０〜３０の３１フレームを単位として１６個に分割され、
上記４９６フレームの各フレームの先頭には、フレームシンクを配置し、上記ランインには、先頭以外に２つの異なるフレームシンクを配置する
ディスク記録媒体。
【請求項２】
書換可能又は追記可能な記録方式によるユーザーデータの記録再生及びグルーブのウォブリングにより記録されているプリアドレス情報の再生が可能とされる記録再生領域と、グルーブのウォブリングにより記録されているプリレコーデッド情報の再生が可能とされる再生専用領域とを備え、上記ユーザーデータは、第１の変調方式を用いて記録されるとともに、第１のエラー訂正ブロック構造を有し、上記ユーザーデータは、４９６フレームの前後に、リンキングのためのランイン、ランアウトとしてのフレームが追加された、４９８フレームを記録単位とし、上記４９６フレームは、フレームナンバー０〜３０の３１フレームを単位として１６個に分割され、上記４９６フレームの各フレームの先頭には、フレームシンクを配置し、上記ランインには、先頭以外に２つの異なるフレームシンクを配置するディスク記録媒体に対して、データの記録を行う記録方法であって、
上記グルーブにより形成されるトラックに対してレーザ照射を行い記録再生を行うヘッド手段を備えた記録装置に対して、
上記記録再生領域への上記ユーザデータ記録時には、上記第１の変調方式を用いて記録されるとともに、上記グルーブにより形成されるトラックに対して４９６フレームの前後に、リンキングのためのランイン、ランアウトとしてのフレームが追加された、４９８フレームを記録単位とし、上記４９６フレームは、フレームナンバー０〜３０の３１フレームを単位として１６個に分割され、上記４９６フレームの各フレームの先頭には、フレームシンクを配置し、上記ランインには、先頭以外に２つの異なるフレームシンクを配置するよう記録を実行させる
記録方法。
【請求項３】
書換可能又は追記可能な記録方式によるユーザーデータの記録再生及びグルーブのウォブリングにより記録されているプリアドレス情報の再生が可能とされる記録再生領域と、グルーブのウォブリングにより記録されているプリレコーデッド情報の再生が可能とされる再生専用領域とを備え、上記ユーザーデータは、第１の変調方式を用いて記録されるとともに、第１のエラー訂正ブロック構造を有し、上記ユーザーデータは、４９６フレームの前後に、リンキングのためのランイン、ランアウトとしてのフレームが追加された、４９８フレームを記録単位とし、上記４９６フレームは、フレームナンバー０〜３０の３１フレームを単位として１６個に分割され、上記４９６フレームの各フレームの先頭には、フレームシンクを配置し、上記ランインには、先頭以外に２つの異なるフレームシンクを配置するディスク記録媒体に対して、データの記録を行う記録装置であって、
上記グルーブにより形成されるトラックに対してレーザ照射を行い記録再生を行うヘッド手段と、
上記反射光信号からトラックのウォブリングに係る信号を抽出するウォブリング抽出手段と、
上記記録再生領域の再生時において、上記ウォブリング抽出手段によって抽出された上記ウォブリングに係る信号について復調を行なうプリアドレス情報復調手段と、
上記再生専用領域の再生時において、上記ウォブリング抽出手段によって抽出された上記ウォブリングに係る信号について復調を行なうプリレコーデッド情報復調手段と、
上記記録再生領域への上記ユーザデータ記録時には、上記第１の変調方式を用いて記録されるとともに、上記グルーブにより形成されるトラックに対して４９６フレームの前後に、リンキングのためのランイン、ランアウトとしてのフレームが追加された、４９８フレームを記録単位とし、上記４９６フレームは、フレームナンバー０〜３０の３１フレームを単位として１６個に分割され、上記４９６フレームの各フレームの先頭には、フレームシンクを配置し、上記ランインには、先頭以外に２つの異なるフレームシンクを配置する上記グルーブにより形成されるトラックに対して４９６フレームの前後に、リンキングのためのランイン、ランアウトとしてのフレームが追加された、４９８フレームを記録単位とし、上記４９６フレームは、フレームナンバー０〜３０の３１フレームを単位として１６個に分割され、上記４９６フレームの各フレームの先頭には、フレームシンクを配置し、上記ランインには、先頭以外に２つの異なるフレームシンクを配置するように上記ヘッド手段を制御する制御手段と、
を備えた記録装置。
【請求項４】
書換可能又は追記可能な記録方式によるユーザーデータの記録再生及びグルーブのウォブリングにより記録されているプリアドレス情報の再生が可能とされる記録再生領域と、グルーブのウォブリングにより記録されているプリレコーデッド情報の再生が可能とされる再生専用領域とを備え、上記ユーザーデータは、第１の変調方式を用いて記録されるとともに、第１のエラー訂正ブロック構造を有し、上記ユーザーデータは、４９６フレームの前後に、リンキングのためのランイン、ランアウトとしてのフレームが追加された、４９８フレームを記録単位とし、上記４９６フレームは、フレームナンバー０〜３０の３１フレームを単位として１６個に分割され、上記４９６フレームの各フレームの先頭には、フレームシンクを配置し、上記ランインには、先頭以外に２つの異なるフレームシンクを配置するディスク記録媒体に対する再生方法として、
上記記録再生領域の再生時には、
上記グルーブにより形成されるトラックに対してレーザ照射を行った際の反射光信号から、トラックのウォブリングに係る信号、及び上記ユーザーデータに係る信号を抽出し、抽出された上記ウォブリングに係る信号について復調を行ってプリアドレス情報をデコードするとともに、抽出された上記ユーザーデータに係る信号について上記第１の変調方式に対する復調、及び上記エラー訂正符号による上記第１のエラー訂正ブロックに対してエラー訂正処理を行って上記ユーザーデータを再生する
再生方法。
【請求項５】
書換可能又は追記可能な記録方式によるユーザーデータの記録再生及びグルーブのウォブリングにより記録されているプリアドレス情報の再生が可能とされる記録再生領域と、グルーブのウォブリングにより記録されているプリレコーデッド情報の再生が可能とされる再生専用領域とを備え、上記ユーザーデータは、第１の変調方式を用いて記録されるとともに、第１のエラー訂正ブロック構造を有し、上記ユーザーデータは、４９６フレームの前後に、リンキングのためのランイン、ランアウトとしてのフレームが追加された、４９８フレームを記録単位とし、上記４９６フレームは、フレームナンバー０〜３０の３１フレームを単位として１６個に分割され、上記４９６フレームの各フレームの先頭には、フレームシンクを配置し、上記ランインには、先頭以外に２つの異なるフレームシンクを配置するディスク記録媒体を再生する再生装置の再生方法として、
上記グルーブにより形成されるトラックに対してレーザ照射を行い反射光信号を得るヘッド手段と、
上記反射光信号からトラックのウォブリングに係る信号を抽出するウォブリング抽出手段と、
上記反射光信号から上記ユーザーデータに係る信号を抽出するユーザーデータ信号抽出手段と、
上記記録再生領域の再生時において、上記ウォブリング抽出手段によって抽出された上記ウォブリングに係る信号について復調を行なうプリアドレス情報復調手段と、
上記記録再生領域の再生時において、上記ユーザーデータ抽出手段によって抽出された上記ユーザーデータに係る信号について上記第１の変調方式に対する復調を行なうユーザーデータ復調手段と、
上記再生専用領域の再生時において、上記ウォブリング抽出手段によって抽出された上記ウォブリングに係る信号について復調を行なうプリレコーデッド情報復調手段と、
上記記録再生領域の再生時には、
上記グルーブにより形成されるトラックに対してレーザ照射を行った際の反射光信号から、トラックのウォブリングに係る信号、及び上記ユーザーデータに係る信号を抽出し、抽出された上記ウォブリングに係る信号について復調を行ってプリアドレス情報をデコードするとともに、抽出された上記ユーザーデータに係る信号について上記第１の変調方式に対する復調、及び上記エラー訂正符号による上記第１のエラー訂正ブロックに対してエラー訂正処理を行って上記ユーザーデータを再生する
再生装置。
【手続補正３】
【補正対象書類名】明細書
【補正対象項目名】００１３
【補正方法】変更
【補正の内容】
【００１３】
このために本発明のディスク記録媒体は、書換可能又は追記可能な記録方式によるユーザーデータの記録再生及びグルーブのウォブリングにより記録されているプリアドレス情報の再生が可能とされる記録再生領域と、グルーブのウォブリングにより記録されているプリレコーデッド情報の再生が可能とされる再生専用領域とを備え、上記ユーザーデータは、第１の変調方式を用いて記録されるとともに、第１のエラー訂正ブロック構造を有し、上記ユーザーデータは、４９６フレームの前後に、リンキングのためのランイン、ランアウトとしてのフレームが追加された、４９８フレームを記録単位とし、上記４９６フレームは、フレームナンバー０〜３０の３１フレームを単位として１６個に分割され、上記４９６フレームの各フレームの先頭には、フレームシンクを配置し、上記ランインには、先頭以外に２つの異なるフレームシンクを配置するものとする。
【手続補正４】
【補正対象書類名】明細書
【補正対象項目名】００１４
【補正方法】削除
【補正の内容】
【手続補正５】
【補正対象書類名】明細書
【補正対象項目名】００１５
【補正方法】削除
【補正の内容】
【手続補正６】
【補正対象書類名】明細書
【補正対象項目名】００１６
【補正方法】削除
【補正の内容】
【手続補正７】
【補正対象書類名】明細書
【補正対象項目名】００１７
【補正方法】削除
【補正の内容】
【手続補正８】
【補正対象書類名】明細書
【補正対象項目名】００１８
【補正方法】削除
【補正の内容】
【手続補正９】
【補正対象書類名】明細書
【補正対象項目名】００１９
【補正方法】削除
【補正の内容】
【手続補正１０】
【補正対象書類名】明細書
【補正対象項目名】００２０
【補正方法】変更
【補正の内容】
【００２０】
本発明の記録方法は、書換可能又は追記可能な記録方式によるユーザーデータの記録再生及びグルーブのウォブリングにより記録されているプリアドレス情報の再生が可能とされる記録再生領域と、グルーブのウォブリングにより記録されているプリレコーデッド情報の再生が可能とされる再生専用領域とを備え、上記ユーザーデータは、第１の変調方式を用いて記録されるとともに、第１のエラー訂正ブロック構造を有し、上記ユーザーデータは、４９６フレームの前後に、リンキングのためのランイン、ランアウトとしてのフレームが追加された、４９８フレームを記録単位とし、上記４９６フレームは、フレームナンバー０〜３０の３１フレームを単位として１６個に分割され、上記４９６フレームの各フレームの先頭には、フレームシンクを配置し、上記ランインには、先頭以外に２つの異なるフレームシンクを配置するディスク記録媒体に対して、データの記録を行う記録方法であって、上記グルーブにより形成されるトラックに対してレーザ照射を行い記録再生を行うヘッド手段を備えた記録装置に対して、上記記録再生領域への上記ユーザデータ記録時には、上記第１の変調方式を用いて記録されるとともに、上記グルーブにより形成されるトラックに対して４９６フレームの前後に、リンキングのためのランイン、ランアウトとしてのフレームが追加された、４９８フレームを記録単位とし、上記４９６フレームは、フレームナンバー０〜３０の３１フレームを単位として１６個に分割され、上記４９６フレームの各フレームの先頭には、フレームシンクを配置し、上記ランインには、先頭以外に２つの異なるフレームシンクを配置するよう記録を実行させる。
【手続補正１１】
【補正対象書類名】明細書
【補正対象項目名】００２１
【補正方法】変更
【補正の内容】
【００２１】
本発明の記録装置は、書換可能又は追記可能な記録方式によるユーザーデータの記録再生及びグルーブのウォブリングにより記録されているプリアドレス情報の再生が可能とされる記録再生領域と、グルーブのウォブリングにより記録されているプリレコーデッド情報の再生が可能とされる再生専用領域とを備え、上記ユーザーデータは、第１の変調方式を用いて記録されるとともに、第１のエラー訂正ブロック構造を有し、上記ユーザーデータは、４９６フレームの前後に、リンキングのためのランイン、ランアウトとしてのフレームが追加された、４９８フレームを記録単位とし、上記４９６フレームは、フレームナンバー０〜３０の３１フレームを単位として１６個に分割され、上記４９６フレームの各フレームの先頭には、フレームシンクを配置し、上記ランインには、先頭以外に２つの異なるフレームシンクを配置するディスク記録媒体に対して、データの記録を行う記録装置であって、上記グルーブにより形成されるトラックに対してレーザ照射を行い記録再生を行うヘッド手段と、上記反射光信号からトラックのウォブリングに係る信号を抽出するウォブリング抽出手段と、上記記録再生領域の再生時において、上記ウォブリング抽出手段によって抽出された上記ウォブリングに係る信号について復調を行なうプリアドレス情報復調手段と、上記再生専用領域の再生時において、上記ウォブリング抽出手段によって抽出された上記ウォブリングに係る信号について復調を行なうプリレコーデッド情報復調手段と、上記記録再生領域への上記ユーザデータ記録時には、上記第１の変調方式を用いて記録されるとともに、上記グルーブにより形成されるトラックに対して４９６フレームの前後に、リンキングのためのランイン、ランアウトとしてのフレームが追加された、４９８フレームを記録単位とし、上記４９６フレームは、フレームナンバー０〜３０の３１フレームを単位として１６個に分割され、上記４９６フレームの各フレームの先頭には、フレームシンクを配置し、上記ランインには、先頭以外に２つの異なるフレームシンクを配置する上記グルーブにより形成されるトラックに対して４９６フレームの前後に、リンキングのためのランイン、ランアウトとしてのフレームが追加された、４９８フレームを記録単位とし、上記４９６フレームは、フレームナンバー０〜３０の３１フレームを単位として１６個に分割され、上記４９６フレームの各フレームの先頭には、フレームシンクを配置し、上記ランインには、先頭以外に２つの異なるフレームシンクを配置するように上記ヘッド手段を制御する制御手段と、を備える。
【手続補正１２】
【補正対象書類名】明細書
【補正対象項目名】００２２
【補正方法】削除
【補正の内容】
【手続補正１３】
【補正対象書類名】明細書
【補正対象項目名】００２３
【補正方法】削除
【補正の内容】
【手続補正１４】
【補正対象書類名】明細書
【補正対象項目名】００２４
【補正方法】削除
【補正の内容】
【手続補正１５】
【補正対象書類名】明細書
【補正対象項目名】００２５
【補正方法】変更
【補正の内容】
【００２５】
本発明の再生方法は、書換可能又は追記可能な記録方式によるユーザーデータの記録再生及びグルーブのウォブリングにより記録されているプリアドレス情報の再生が可能とされる記録再生領域と、グルーブのウォブリングにより記録されているプリレコーデッド情報の再生が可能とされる再生専用領域とを備え、上記ユーザーデータは、第１の変調方式を用いて記録されるとともに、第１のエラー訂正ブロック構造を有し、上記ユーザーデータは、４９６フレームの前後に、リンキングのためのランイン、ランアウトとしてのフレームが追加された、４９８フレームを記録単位とし、上記４９６フレームは、フレームナンバー０〜３０の３１フレームを単位として１６個に分割され、上記４９６フレームの各フレームの先頭には、フレームシンクを配置し、上記ランインには、先頭以外に２つの異なるフレームシンクを配置するディスク記録媒体に対する再生方法として、上記記録再生領域の再生時には、上記グルーブにより形成されるトラックに対してレーザ照射を行った際の反射光信号から、トラックのウォブリングに係る信号、及び上記ユーザーデータに係る信号を抽出し、抽出された上記ウォブリングに係る信号について復調を行ってプリアドレス情報をデコードするとともに、抽出された上記ユーザーデータに係る信号について上記第１の変調方式に対する復調、及び上記エラー訂正符号による上記第１のエラー訂正ブロックに対してエラー訂正処理を行って上記ユーザーデータを再生する。
【手続補正１６】
【補正対象書類名】明細書
【補正対象項目名】００２６
【補正方法】変更
【補正の内容】
【００２６】
本発明の再生装置は、書換可能又は追記可能な記録方式によるユーザーデータの記録再生及びグルーブのウォブリングにより記録されているプリアドレス情報の再生が可能とされる記録再生領域と、グルーブのウォブリングにより記録されているプリレコーデッド情報の再生が可能とされる再生専用領域とを備え、上記ユーザーデータは、第１の変調方式を用いて記録されるとともに、第１のエラー訂正ブロック構造を有し、上記ユーザーデータは、４９６フレームの前後に、リンキングのためのランイン、ランアウトとしてのフレームが追加された、４９８フレームを記録単位とし、上記４９６フレームは、フレームナンバー０〜３０の３１フレームを単位として１６個に分割され、上記４９６フレームの各フレームの先頭には、フレームシンクを配置し、上記ランインには、先頭以外に２つの異なるフレームシンクを配置するディスク記録媒体を再生する再生装置の再生方法として、上記グルーブにより形成されるトラックに対してレーザ照射を行い反射光信号を得るヘッド手段と、上記反射光信号からトラックのウォブリングに係る信号を抽出するウォブリング抽出手段と、上記反射光信号から上記ユーザーデータに係る信号を抽出するユーザーデータ信号抽出手段と、上記記録再生領域の再生時において、上記ウォブリング抽出手段によって抽出された上記ウォブリングに係る信号について復調を行なうプリアドレス情報復調手段と、上記記録再生領域の再生時において、上記ユーザーデータ抽出手段によって抽出された上記ユーザーデータに係る信号について上記第１の変調方式に対する復調を行なうユーザーデータ復調手段と、上記再生専用領域の再生時において、上記ウォブリング抽出手段によって抽出された上記ウォブリングに係る信号について復調を行なうプリレコーデッド情報復調手段と、上記記録再生領域の再生時には、上記グルーブにより形成されるトラックに対してレーザ照射を行った際の反射光信号から、トラックのウォブリングに係る信号、及び上記ユーザーデータに係る信号を抽出し、抽出された上記ウォブリングに係る信号について復調を行ってプリアドレス情報をデコードするとともに、抽出された上記ユーザーデータに係る信号について上記第１の変調方式に対する復調、及び上記エラー訂正符号による上記第１のエラー訂正ブロックに対してエラー訂正処理を行って上記ユーザーデータを再生する。
【手続補正１７】
【補正対象書類名】明細書
【補正対象項目名】００２７
【補正方法】削除
【補正の内容】
【手続補正１８】
【補正対象書類名】明細書
【補正対象項目名】００２８
【補正方法】削除
【補正の内容】
【手続補正１９】
【補正対象書類名】明細書
【補正対象項目名】００２９
【補正方法】削除
【補正の内容】
【手続補正２０】
【補正対象書類名】明細書
【補正対象項目名】００３０
【補正方法】削除
【補正の内容】
【手続補正２１】
【補正対象書類名】明細書
【補正対象項目名】００３１
【補正方法】削除
【補正の内容】
【手続補正２２】
【補正対象書類名】明細書
【補正対象項目名】００３２
【補正方法】削除
【補正の内容】
【手続補正２３】
【補正対象書類名】明細書
【補正対象項目名】００３３
【補正方法】削除
【補正の内容】
【手続補正２４】
【補正対象書類名】明細書
【補正対象項目名】００３４
【補正方法】削除
【補正の内容】
【手続補正２５】
【補正対象書類名】明細書
【補正対象項目名】００３５
【補正方法】削除
【補正の内容】
【手続補正２６】
【補正対象書類名】明細書
【補正対象項目名】００３６
【補正方法】削除
【補正の内容】
【手続補正２７】
【補正対象書類名】明細書
【補正対象項目名】００３７
【補正方法】削除
【補正の内容】
【手続補正２８】
【補正対象書類名】明細書
【補正対象項目名】００３８
【補正方法】削除
【補正の内容】
【手続補正２９】
【補正対象書類名】明細書
【補正対象項目名】００３９
【補正方法】削除
【補正の内容】
【手続補正３０】
【補正対象書類名】明細書
【補正対象項目名】００４０
【補正方法】削除
【補正の内容】